(57)【要約】【課題】所望の無線ネットワークに加入する確率を向上させる。【解決手段】一の実施形態によれば、無線通信用集積回路は、ベースバンド集積回路を備える。前記ベースバンド集積回路は、第１のセンサで取得された第１信号をＲＦ集積回路を介して受信し、前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定し、前記判定の結果、同一の対象物体から取得されたと判定された場合、自装置と前記第１信号を送信した他の通信装置の一方が形成する無線ネットワークへ他方を接続させるための無線接続信号を、前記ＲＦ集積回路を介して送信する。
2015190535.tif 000002
【特許請求の範囲】
【請求項１】
第１のセンサで取得された第１信号を、ＲＦ集積回路を介して受信し、
前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定し、
前記判定の結果、同一の対象物体から取得されたと判定された場合、自装置と前記第１信号を送信した他の通信装置の一方が形成する無線ネットワークへ他方を接続させるための無線接続信号を、前記ＲＦ集積回路を介して送信するベースバンド集積回路、
を備える無線通信用集積回路。
【請求項２】
前記第１のセンシング情報は、前記第１のセンサの計測値から抽出された第１の特徴量であり、
前記ベースバンド集積回路は、前記第２のセンサの計測値から第２の特徴量を前記第２のセンシング情報として抽出し、前記第１の特徴量と前記第２の特徴量とを比較する
請求項１に記載の無線通信用集積回路。
【請求項３】
前記第１のセンシング情報と前記第２のセンシング情報は同じ種類のセンサで計測して得られたものであり、
前記ベースバンド集積回路は、前記第１のセンシング情報と前記第２のセンシング情報とが一致する場合、前記第１のセンシング情報と前記第２のセンシング情報とが同一の対象物体から取得されたと判定する
請求項１または２に記載の無線通信用集積回路。
【請求項４】
前記ベースバンド集積回路は、複数の他の通信装置から送信された前記第１信号を受信し、
前記ベースバンド集積回路は、規定の期間に受信した複数の前記第１信号の中に、前記第１のセンシング情報と前記第２のセンシング情報とが一致する信号が存在しない場合、前記複数の第１信号の中で、前記第２のセンシング情報と最も近いセンシング情報が含まれる前記第１信号を送信した通信装置を選択し、
前記ベースバンド集積回路は、選択した通信装置へ前記無線接続信号を送信する
請求項３に記載の無線通信用集積回路。
【請求項５】
前記第１のセンサと前記第２のセンサとは互いに計測値が相関関係を有する異なる種類のセンサであり、
前記ベースバンド集積回路は、前記第１のセンサの計測値の変動パターンと前記第２のセンサの計測値の変動パターンを比較する
請求項２に記載の無線通信用集積回路。
【請求項６】
前記第１のセンシング情報は、前記第１のセンサの計測値のハッシュ値、または前記第１のセンサの計測値から抽出された第１の特徴量のハッシュ値であり、
前記ベースバンド集積回路は、前記第２のセンサの計測値のハッシュ値、または前記第２のセンサの計測値から抽出された第２の特徴量のハッシュ値を前記第２のセンシング情報に決定する
請求項１から５のいずれか一項に記載の無線通信用集積回路。
【請求項７】
前記他の通信装置が受けたユーザからのトリガ入力を基に、一定時間だけ、前記第１信号に前記第１のセンシング情報が含まれる
請求項１から６のいずれか一項に記載の無線通信用集積回路。
【請求項８】
前記ベースバンド集積回路は、前記第２のセンサを用いて前記第２のセンシング情報を取得し、
前記他の通信装置は、前記第１のセンサを備える
請求項１から７のいずれか一項に記載の無線通信用集積回路。
【請求項９】
前記ベースバンド集積回路は、前記第２のセンサを用いて前記第２のセンシング情報を取得し、
前記無線ネットワークに既に接続された第３の通信装置が前記第１のセンサを備えており、
前記ベースバンド集積回路が受信した第１のセンシング情報は、前記他の通信装置が前記第３の通信装置から通信により取得した情報である
請求項１から７のいずれか一項に記載の無線通信用集積回路。
【請求項１０】
前記他の通信装置は、前記無線ネットワークを形成しており、
前記無線接続信号は、前記第１の通信装置への接続を要求する接続要求信号である
請求項１から９のいずれか一項に記載の無線通信用集積回路。
【請求項１１】
自装置が、前記無線ネットワークを形成しており、
前記第１信号は、プローブ要求信号であり、
前記無線接続信号は、前記プローブ要求信号に応答するプローブ応答信号である
請求項１から９のいずれか一項に記載の無線通信用集積回路。
【請求項１２】
前記第１信号は、前記第１のセンシング情報に加えて更に前記第１のセンシング情報が得られたセンサの種類を含み、
前記ベースバンド集積回路は、前記第１信号に含まれる第１のセンシング情報と、前記第１信号に含まれるセンサの種類と同じ種類または相関関係を有する種類のセンサで得られた前記第２のセンシング情報とを比較する
請求項１から１１のいずれか一項に記載の無線通信用集積回路。
【請求項１３】
前記ベースバンド集積回路は、複数種類の前記第２のセンサを用いて前記第２のセンシング情報を取得し、
前記他の通信装置は、複数種類のセンサを前記第１のセンサとして備えており、
前記第１信号は、前記複数のセンサで計測されて得られた複数のセンシング情報から選択された前記第１のセンシング情報と前記選択された第１のセンシング情報が得られたセンサの種類とを含む
請求項１２に記載の無線通信用集積回路。
【請求項１４】
前記ベースバンド集積回路は、複数種類の前記第２のセンサを用いて前記第２のセンシング情報を取得し、
前記他の通信装置は、複数種類のセンサを前記第１のセンサとして備えており、
前記第１信号は、複数のセンサで計測されて得られた複数の第１のセンシング情報と前記複数の第１のセンシング情報が得られたセンサの種類とを含み、  
前記ベースバンド集積回路は、前記第１信号に含まれる複数の第１のセンシング情報それぞれについて、第１のセンシング情報と、当該第１のセンシング情報が得られたセンサの種類と同じ種類または相関関係を有する種類のセンサで得られた前記第２のセンシング情報とを比較する
請求項１２に記載の無線通信用集積回路。
【請求項１５】
前記第１のセンシング情報は、前記第１のセンサの計測値から抽出された第１の特徴量であり、
前記第１信号は、前記第１の特徴量に加えて更に前記第１の特徴量の種類を示す特徴量種類情報を含み、
前記ベースバンド集積回路は、前記第１信号に含まれる特徴量種類情報が示す前記第１の特徴量の種類と同じ種類または相関関係を有する種類の特徴量を前記第２のセンサの計測値から第２の特徴量として抽出し、前記第１の特徴量と前記第２の特徴量を比較する
請求項１から１４のいずれか一項に記載の無線通信用集積回路。
【請求項１６】
前記ベースバンド集積回路は、自装置が設置された部位の情報を、ユーザから入力部を介して受け取り、
前記ベースバンド集積回路は、前記部位の情報を用いて、前記第１のセンシング情報と比較する第２のセンシング情報の種類を変更する
請求項１から１５のいずれか一項に記載の無線通信用集積回路。
【請求項１７】
前記ベースバンド集積回路は、複数種類の前記第２のセンサを用いて前記第２のセンシング情報を取得し、
前記第２のセンシング情報の種類の変更は、前記第２のセンシング情報を得るために用いるセンサの変更である
請求項１６に記載の無線通信用集積回路。
【請求項１８】
前記第２のセンシング情報は、前記第２のセンサの計測値から抽出された第２の特徴量であり、
前記第２のセンシング情報の種類の変更は、前記第２の特徴量の種類の変更である
請求項１６または１７に記載の無線通信用集積回路。
【請求項１９】
前記物体は、人であり、
前記第１のセンシング情報及び前記第２のセンシング情報は、同一の人から得られた生体情報である
請求項１から１８のいずれか一項に記載の無線通信用集積回路。
【請求項２０】
少なくとも１つのアンテナと、
前記ＲＦ集積回路を更に備える請求項１から１９のいずれか一項に記載の無線通信用集積回路と、
を備えた無線通信端末。
【請求項２１】
請求項１から１９のいずれか一項に記載の無線通信用集積回路と、
前記第２のセンサと、
を備えた無線通信端末。
【請求項２２】
少なくとも１つのアンテナと、
前記アンテナに接続され、フレームを送受信する無線通信部と、
第１のセンサで取得された第１信号を、前記無線通信部を介して受信し、前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定し、前記判定の結果、同一の対象物体から取得されたと判定された場合、自端末と前記第１信号を送信した他の無線通信端末の一方が形成する無線ネットワークへ他方を接続させるため接続信号を、前記無線通信部を介して送信する、制御部と
を備えた無線通信端末。
【請求項２３】
前記第２のセンサを更に備える請求項２２に記載の無線通信端末。
【請求項２４】
無線通信端末による無線通信方法であって、
第１のセンサで取得された第１信号を受信するステップと、
前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定するステップと、
前記判定の結果、同一の対象物体から取得されたと判定された場合、自端末と他の無線通信端末の一方が形成する無線ネットワークへ他方を接続させるための無線接続信号を送信するステップと、
を有する無線通信方法。
【発明の詳細な説明】
【技術分野】
【０００１】
本発明の実施形態は、無線通信用集積回路、無線通信端末及び無線通信方法に関する。
【背景技術】
【０００２】
無線ネットワークを形成する複数のハブ（以下、アクセスポイントともいう）が存在する中で、各無線通信端末が新規に接続するアクセスポイントの選択を行う際、各アクセスポイントからの受信信号強度を基準に選択を行うことが知られている。例えば、各アクセスポイントからの受信信号強度のうち最も受信信号強度が大きいアクセスポイントを選択する方法がある。これにより、無線通信端末は、受信信号強度が最も大きいアクセスポイントを選択することで、安定かつ高速な無線通信を行うことができる。【０００３】
また、無線通信端末で、無線ＬＡＮ（Local Area Network）のアクセスポイントを選択する場合、一定以上の受信信号強度のアクセスポイントの一覧がＳＳＩＤ（Service Set Identifier）と共に画面に表示される場合がある。その場合、無線通信端末のユーザが表示された中から所望のアクセスポイントを選択することで、選択したアクセスポイントに接続することができる。【０００４】
しかしながら、各アクセスポイントからの受信信号強度のうち最も受信信号強度が大きいアクセスポイントを選択する方法では、ユーザが望む無線ネットワークとは、別の無線ネットワークに無線通信端末を加入させてしまう場合がある。一方、小型化及び低消費電力化を目的に無線通信端末がディスプレイを内蔵しない場合、画面に表示された中から所望のアクセスポイントを選択する方法を用いることができない。
【先行技術文献】
【特許文献】
【０００５】
【特許文献１】特開２００５−３９５７１号公報
【発明の概要】
【発明が解決しようとする課題】
【０００６】
本発明の実施形態が解決しようとする課題は、所望の無線ネットワークに加入する確率を向上させることである。
【課題を解決するための手段】
【０００７】
一の実施形態によれば、無線通信用集積回路は、ベースバンド集積回路を備える。前記ベースバンド集積回路は、第１のセンサで取得された第１信号をＲＦ集積回路を介して受信し、前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定し、前記判定の結果、同一の対象物体から取得されたと判定された場合、自装置と前記第１信号を送信した他の通信装置の一方が形成する無線ネットワークへ他方を接続させるための無線接続信号を、前記ＲＦ集積回路を介して送信する。
【図面の簡単な説明】
【０００８】
【図１】第１の実施形態における通信システムの構成を示す図。
【図２】第１の実施形態におけるハブである通信装置１の構成を示す図。
【図３】第１の実施形態におけるノードである通信装置２の構成を示す図。
【図４】第１の実施形態における接続確立の処理の一例を示すフローチャート。
【図５】通信装置２−１が一定時間スキャンした結果の例を示す図。
【図６】第１の実施形態の変形例におけるハブである通信装置１ａの構成を示す図。
【図７】第２の実施形態におけるハブである通信装置１ｂの構成を示す図。
【図８】第２の実施形態における接続確立の処理の一例を示すフローチャート。
【図９】第３の実施形態におけるハブである通信装置１ｃの構成を示す図。
【図１０】第３の実施形態におけるノードである通信装置２ｃの構成を示す図。
【図１１】第３の実施形態における接続確立の処理の一例を示すフローチャート。
【図１２】第４の実施形態におけるハブである通信装置１ｄの構成を示す図。
【図１３】第４の実施形態におけるノードである通信装置２ｄの構成を示す図。
【図１４】第４の実施形態における接続確立の処理の一例を示すフローチャート。
【図１５】第１の実施形態に係る通信装置１のハードウェア構成例を示す図。
【図１６】第１の実施形態に係る通信装置２のハードウェア構成例を示す図。
【図１７Ａ−１７Ｂ】第６の実施形態に係る無線通信端末の斜視図。
【図１８】第６の実施形態に係るメモリーカードを示す図。
【図１９】第１５の実施形態に係る無線通信システムを示す図。
【図２０】第１５の実施形態に係るノードのハードウェアブロック図。
【図２１】第１５の実施形態に係るハブのハードウェアブロック図。
【発明を実施するための形態】
【０００９】
物体周辺に形成する無線ネットワークでは、その物体自体が無線通信の遮蔽物となる場合があり、必ずしも最も大きい受信信号強度のハブが、その物体周辺に無線ネットワークを形成するハブとは限らない。このため、無線通信端末を、特定の物体周辺に無線ネットワークを形成するハブに接続させたい場合に、無線通信端末が受信信号強度を基に接続するハブを選択すると、特定の物体の近くの物体周辺に別の無線ネットワークを形成する別のハブに接続してしまう恐れがある。
【００１０】
また、通信装置（無線通信装置と呼ぶ場合もある）が内蔵するセンサでセンシング情報を取得するために、通信装置を物体に設置させて利用する用途を想定する。その場合、小型化及び低消費電力化を目的に、一定以上の受信信号強度のハブの一覧を表示する表示部を有しない場合がある。そのような場合、ユーザが画面を見て所望のハブを選択することができない。そこで、各実施形態では、通信装置が設置された対象物体と同一の対象物体に設置されたハブに接続するよう通信装置を構成することで、所望の無線ネットワークに加入する確率を向上させる。
【００１１】
各実施形態では、物体周辺に形成する無線ネットワークの一例として、人周辺に形成される無線ネットワークであるボディエリアネットワーク(Body Area Network: BAN)を用いて説明する。ここで、ボディエリアネットワークでは、ハブは自装置が設置された人と同一の人に設置されたノードのみを接続させることを前提とする。以下、図面を参照しながら、本発明の実施形態について説明する。
【００１２】
なお、各実施形態における第１のセンシング情報及び第２のセンシング情報は、センサの計測値である場合、センサの計測値から抽出された特徴量である場合、またはこの計測値またはこの特徴量のハッシュ値である場合がある。
【００１３】
（第１の実施形態）
図１は、第１の実施形態における通信システムの構成を示す図である。図１に示すように、第１の実施形態における通信システムは、ハブである通信装置１と、ノードである通信装置２−１、…、２−７の七つの通信装置２−ｉ（ｉは１から７までの整数）とを備える。なお、ノードの通信装置２−ｉの数は七つに限らず、六つ以下でもよいし、八つ以上であってもよい。
【００１４】
図１に示すように、ハブである通信装置１は、例えば、人１１の中心部位に設置されている。また、ノードである通信装置２−１、…、２−７は、例えば、人１１の互いに異なる部位に設置されている。また、図１に示すように、例えば、別の無線ネットワークを形成する通信装置２０が人１２に設置され、別の無線ネットワークを形成する通信装置３０が人１３に設置され、別の無線ネットワークを形成する通信装置４０が人１４に設置されている。
【００１５】
なお、人に設置とは、人の部位（指や手首、体内など）に固定的に取り付ける場合の他、首掛け紐に設置する場合や手で所持する場合、服のポケットや鞄等のユーザの所持物に入れる場合など、ユーザの近くに配置する状態も含み得る。
【００１６】
各実施形態の通信システムは、ボディエリアネットワークに限定されず、ハブとノードを配置して互いに通信するネットワークである限り、任意のネットワークに適用できる。例えばハブとノードを、動物や植物等、人以外の生体に設置してもよいし、生体以外の物体、例えば自動車の複数箇所（例えばボディと車輪など）に設置してもよい。
【００１７】
ハブである通信装置１は、ノードである通信装置２−１、…、２−７と通信を行う。例えば、ハブである通信装置１は、少なくとも一つ以上のセンサを備え、通信装置１が設置された部位における所定の情報を計測する。本実施形態において、ハブである通信装置１は、自装置が設置された物体に関する情報の一例として、自装置が設置された人の生体情報を計測する。ここで、生体情報は、例えば、体温、血圧、脈波、心電、心拍、血中酸素濃度、尿糖、血糖、体動、または体の向きなどであるが、これらに限ったものではない。
【００１８】
また、第１の実施形態において、物体に設置されたセンサが計測して得られた情報をセンシング情報という。ここで、センシング情報は、センサの計測値（例えば、脈波などの生体情報の生データ）、またはセンサの計測値から抽出された特徴量（例えば、脈波のピークの時間間隔）である。
【００１９】
ハブである通信装置１は、通信に必要な無線通信パラメータとセンサで計測して得られたセンシング情報とを含むビーコン信号を、ノードである通信装置２−１、…、２−７へ周期的に送信する。なお、ビーコン信号の無線送信は、一例として、ブロードキャストで行われる。
【００２０】
ノードである通信装置２−１、…、２−７は、無線通信パラメータ等をハブから無線で取得する。
【００２１】
また、ノードである通信装置２−１、…、２−７は、少なくとも一つ以上のセンサを備え、通信装置２−１、…、２−７が設置された部位における生体情報を計測する。そして、ノードである通信装置２−１、…、２−７は、センサで計測された得られたセンシング情報を、ハブである通信装置１へ無線送信する。これにより、ノードで得られたセンシング情報が、ハブで集約される。
【００２２】
ノードである通信装置２−１、…、２−７は、一例として、備えるセンサの種類が互いに異なり、センシング用途などに応じて、人の装着位置が互いに異なる。以下、ノードである通信装置２−１、…、２−７を総称して、通信装置２という。
【００２３】
ハブ及びノードが備えるセンサとしては、例えば睡眠センサ、加速度センサ、心電図センサ、体温センサ、血圧センサ、脈センサ、心拍センサ、血中酸素濃度センサ、尿糖値センサ、血糖値センサ、方位センサ、などが想定される。加速度センサは、当該加速度センサが設置された人の体動を検出する。方位センサは、当該方位センサが設置された人の向きを検出する。
【００２４】
（ハブである通信装置１の構成）
続いて、図２を用いて、ハブである通信装置１の構成について説明する。図２に示すように、ハブである通信装置１は、アンテナ１００、アンテナ１００に接続された無線部１０１、無線部１０１に接続された変復調部１０２、変復調部１０２と接続されたＭＡＣ処理部１０３、ＭＡＣ処理部１０３と接続された上位層処理部１０４、及びセンサ１１０、…、１１２を備える。
【００２５】
アンテナ１００は、無線通信するためのアンテナである。
【００２６】
変復調部１０２は、ＭＡＣ処理部１０３から入力された信号を変調し、無線部１０１から入力された信号を復調する。ここで、変復調部１０２は、変調部１０５及び復調部１０６を備える。
【００２７】
ＭＡＣ処理部１０３は、ＭＡＣ（Media Access Control）層における処理を実行する。ここで、ＭＡＣ処理部１０３は、送信部１０７、受信部１０８、及びビーコン信号生成部１０９を備える。ＭＡＣ処理部１０３は、他の通信装置または他の無線通信端末との通信に関する処理を行うベースバンド集積回路または制御部の一例に相当する。ベースバンド集積回路または制御部の機能は、ＣＰＵ等のプロセッサで動作するソフトウェア（プログラム）によって行われてもよいし、ハードウェアによって行われてもよいし、ソフトウェアとハードウェアの両方によって行われてもよい。ソフトウェアはＲＯＭ、ＲＡＭ等のメモリ、ハードディスク、ＳＳＤなどの記憶媒体に格納してプロセッサにより読み出して実行してもよい。メモリはＤＲＡＭ等の揮発性メモリでも、ＮＡＮＤ、ＭＲＡＭ等の不揮発メモリでもよい。
【００２８】
上位層処理部１０４は、データフレーム送信時にデータフレームを出力する。このデータフレームは、送信部１０７内の送信バッファ（図示せず）に格納される。ここで、データフレームには、センシングした以外のデータ（例えば、時刻情報、ハブがインターネットを介して受信した情報など）が格納される。
【００２９】
送信部１０７は、送信バッファに格納されたデータフレームに対し、所定のＭＡＣヘッダを付加する処理などを実施した後、処理後の信号を変調部１０５へ出力する。
【００３０】
変調部１０５は、送信部１０７から入力されたフレームに対し、変調処理や物理ヘッダ付加など所定の物理層処理を行い、物理層処理後の信号を無線部１０１へ出力する。
【００３１】
無線部１０１は、物理層処理後の信号をＤ／Ａ変換し、更に周波数変換を行った後に、アンテナ１００を介して、任意の接続しているノードの通信装置２−ｉへフレームを送信する。無線部１０１は、アンテナ１００を介して信号を送受信する無線通信部またはＲＦ集積回路の一例に相当する。
【００３２】
本実施形態に係る無線通信用集積回路は、ベースバンド集積回路及びＲＦ集積回路の少なくとも前者を含んでも良い。上述したように、ＭＡＣ処理部１０３はベースバンド集積回路によって構成されてもよい。無線部１０１は、ＲＦ集積回路によって構成されてもよい。
【００３３】
各センサ１１０、…、１１２は、例えば血圧や心電といったそれぞれ異なる生体情報をセンシングするセンサである。各センサ１１０、…、１１２は、生体情報を計測し、計測して得られたセンシング情報をビーコン信号生成部１０９へ出力する。
【００３４】
なお、第１の実施形態では、ハブである通信装置１は、一例として３種類のセンサを備えるとしたが、センサの数はこれに限らず、２種類以下であっても、４種類以上であってもよい。
【００３５】
ビーコン信号生成部１０９は、各センサ１１０、…、１１２から入力されたセンシング情報を周期的に取得する。そして、ビーコン信号生成部１０９は、取得したセンシング情報をビーコン信号内の特定フィールドに含めたビーコン信号を周期的に生成する。そして、ビーコン信号生成部１０９は、このビーコン信号を周期的に送信部１０７へ出力する。
【００３６】
ここで、ビーコン信号生成部１０９が、ビーコン信号内に含めるセンシング情報としては、個人が識別できうる情報で個人毎に異なる情報であれば、どのようなものであってもよい。
【００３７】
送信部１０７は、データフレーム送信時と同様に、ビーコン信号に所定のＭＡＣヘッダを付加する処理などを実施した後、処理後の信号を変調部１０５へ出力する。
【００３８】
その後、変調部１０５は、この処理後に信号に、変調処理や物理ヘッダ付加など所定の物理層処理を行い、物理層処理後の信号を無線部１０１へ出力する。
【００３９】
無線部１０１は、物理層処理後の信号をＤ／Ａ変換し、更に周波数変換を行った後に、アンテナ１００を介して、ブロードキャストで無線送信する。
【００４０】
一方、接続しているノードの通信装置２からのフレーム受信時の処理について、以下説明する。
【００４１】
無線部１０１は、アンテナ１００を介して受信した信号に対し、ベースバンドへの周波数変換を行った後にＡ／Ｄ変換を行い、得られた信号を復調部１０６へ出力する。
【００４２】
復調部１０６は、復調処理及び物理ヘッダの解析など所定の物理層処理を行い、物理層処理後の信号を受信部１０８へ出力する。
【００４３】
受信部１０８は、復調フレームのＭＡＣヘッダの解析等を行う。そして、受信部１０８は、必要に応じて（例えば、インターネットを介してクラウドへ送信する場合）、ノードである通信装置２から送信されたセンシング情報などを抽出し、抽出したセンシング情報を上位層処理部１０４へ出力する。これにより、ハブである通信装置１は、例えば、センシング情報をクラウドへ送信することができる。
【００４４】
また、受信部１０８は、ＭＡＣヘッダの解析を行った結果、受信した信号（例えば、フレーム）がノードから送信された接続要求信号（例えば、接続要求フレーム）であった場合、接続要求信号（例えば、接続要求フレーム）に対する応答信号（例えば、応答フレーム）などを、送信部１０７からこのノード宛てに送信させる。
【００４５】
（ノードである通信装置２の構成）
続いて、図３を用いて、ノードである通信装置２の構成について説明する。図３は、第１の実施形態におけるノードである通信装置２の構成を示す図である。なお、図２と共通する要素には同一の符号を付し、その具体的な説明を省略する。
【００４６】
図３に示すように、ノードである通信装置２の構成は、図２に示すハブである通信装置１の構成に対して、ビーコン信号生成部１０９が存在せず、代わりに判定部１１４が設けられた構成になっている。それに伴い、図２のＭＡＣ処理部１０３が図３のＭＡＣ処理部２０３に変更されたものになっている。
【００４７】
判定部１１４は、センサ１１０、…、１１２で計測されて得られたセンシング情報をセンサ１１０、…、１１２から取得する。
【００４８】
既にハブに接続している場合、送信部１０７は、センサ１１０、…、１１２で計測されて得られたセンシング情報を取得する。そして、送信部１０７は、上位層処理部１０３から入力される通常のデータと同様に、取得したセンシング情報に、所定のＭＡＣヘッダ付加などを施し、施した後の信号を変調部１０５へ出力する。変調部１０５は、変調など送信に必要な処理を施した後、処理後の信号を無線部１０１へ出力する。無線部１０１は、処理後の信号をＤ／Ａ変換し、更に周波数変換を行った後に、アンテナ１００を介して、接続しているハブに対し送信する。
【００４９】
一方、未だハブに接続しておらず新たにハブに接続する場合、受信部１０８は、無線部１０１が受信し且つその後に復調部１０６が復調した信号に対して、ＭＡＣヘッダの解析を行う。その結果、受信したフレームがビーコン信号の場合、受信部１０８は、受信したビーコン信号内の第１のセンシング情報が含まれるフィールドを参照し、第１のセンシング情報を抽出する。受信部１０８は、抽出した第１のセンシング情報を判定部１１４へ出力する。
【００５０】
このように、受信部１０８は、物体に設置された第１のセンサ（例えば、図２のセンサ１１０、…、１１２）で計測されて得られた第１のセンシング情報を含み、ブロードキャストで無線送信された複数の送信信号を受信する。ここで、第１のセンシング情報は、例えば、ハブが備える第１のセンサであるセンサ１１０〜１１２の計測値から抽出された第１の特徴量である。その場合、判定部１１４は、自装置が備える第２のセンサであるセンサ１１０〜１１２の計測値から第２の特徴量を第２のセンシング情報として抽出する。
【００５１】
判定部１１４は、受信部１０８から入力された第１のセンシング情報と、自装置のセンサ１１０、…、１１２で計測された得られた第２のセンシング情報とを比較することにより、第１のセンシング情報と第２のセンシング情報が同一の人から得られた情報であるか否か判定する。
【００５２】
そして、判定部１１４が第１のセンシング情報と第２のセンシング情報が同一の人から得られた情報であると判定した場合、送信部１０７は、該ビーコン信号を送信したハブに対して接続要求信号（例えば、接続要求フレーム）を送信する。
【００５３】
一方、判定部１１４が第１のセンシング情報と第２のセンシング情報が同一の人から得られた情報でないと判定した場合、送信部１０７は、このビーコン信号を送信したハブに対して接続要求信号（例えば、接続要求フレーム）は送信せず、受信部１０８は、次のビーコン信号の受信を待機する。
【００５４】
このように、判定部１１４は、受信した複数の送信信号に含まれる複数の第１のセンシング情報それぞれと、第１のセンサが設置された物体と同じ物体に設置された第２のセンサで計測されて得られた第２のセンシング情報とを比較する。これにより、判定部１１４は、受信した送信信号それぞれについて、当該通信装置１が設置された対象物体と同一の対象物体から取得されたセンシング情報が含まれるか否かを判定する。
【００５５】
そして、送信部１０８は、判定部１１４による判定の結果、同一の対象物体から取得された第１のセンシング情報が含まれると判定された送信信号を送信した他方の通信装置へ、無線ネットワークへ接続させるための無線接続信号を送信する。
【００５６】
続いて、以上の構成を有する通信装置１及び通信装置２について、通信装置２−１がハブである通信装置１が形成する無線ネットワークに新たに加入する場合を想定して、図４を用いて接続確立の処理を説明する。図４は、第１の実施形態における接続確立の処理の一例を示すフローチャートである。なお、他のノードである通信装置２−２、…、２−７は、一例として、既にハブである通信装置１に接続済みである。
【００５７】
まず、ハブである通信装置１の処理を説明する。
【００５８】
（ステップＳ１０１）まず、ハブである通信装置１のビーコン信号生成部１０９は、自装置内のセンサ１１０で計測された第１の計測値を取得する。
【００５９】
（ステップＳ１０２）次に、ハブである通信装置１のビーコン信号生成部１０９は、ステップＳ１０１で取得した第１の計測値から第１の特徴量を抽出する。
【００６０】
（ステップＳ１０３）次に、ハブである通信装置１の送信部１０７は、ハブである通信装置１の第１の特徴量を含むビーコン信号を周期的にブロードキャストで無線送信する。
【００６１】
このように、ハブである通信装置１は、自らが備えるセンサで計測して得られたセンシング情報を、ビーコン信号に含めて周期的に送信する。
【００６２】
また、ビーコン信号内に含める第１のセンシング情報の値としては、サンプリング時点での計測値そのもの以外に、計測値を時系列で表した波形の周期、計測値を時系列で表した波形のピーク間隔の変動パターン、または計測値を時系列で表した波形の立ち上がり角度など、生体情報から抽出した特徴量であってもよい。
【００６３】
また、通信装置１は、複数のセンサを備え、２種類以上の第１のセンシング情報の値をビーコン信号に含めてもよい。２種類以上のセンサを備える場合には、異なるセンシング情報の間での組み合わせによる相対的な変動値などをビーコン信号に含めることなども可能である。ビーコン信号内に含める生体情報は、個人が識別できうる情報で個人毎に異なる情報であれば、どのようなものであってもよい。
【００６４】
このように、ハブである通信装置１は、自らが備える一つ以上のセンサで取得した第１のセンシング情報をビーコン信号に含め、このビーコン信号を無線ネットワーク内で周期的に無線送信する。
【００６５】
続いて、通信装置１が形成する無線ネットワークに新たに加入する通信装置２−１の処理を説明する。
【００６６】
（ステップＳ２０１）次に、通信装置２−１の受信部１０８は、ステップＳ１０３で送信されたビーコン信号を含む複数のビーコン信号を受信する。
【００６７】
このように、通信装置２−１のセンサ１１０〜１１２は、設置された体の部位において第２のセンシング情報を取得開始する。それと共に通信装置２−１の受信部１０８は、一定時間の間、周辺に存在する無線ネットワークを検出するために、送信されているビーコン信号のスキャンを行う。具体的には、通信装置２−１の受信部１０８は、受信した各ビーコン信号内の第１のセンシング情報が含まれるフィールドを参照し、ビーコン信号毎に、第１のセンシング情報の一例である第１の特徴量を取得する。
【００６８】
図５に、通信装置２−１が一定時間スキャンした結果の例を示す図である。図５では、一定時間スキャンの結果、異なる４台の通信装置１、２０、３０、４０からのビーコン信号を受信した例となっている。具体的には、通信装置１から送信されるビーコン信号Ｂ１の他、図１には図示されない他の無線ネットワークを形成するハブである通信装置２０、３０、４０から送信されるビーコン信号Ｂ２、Ｂ３、Ｂ４も受信した例である。
【００６９】
（ステップＳ２０２）次に、通信装置２−１の判定部１１４は、自装置内のセンサ１１０で計測開始された第２の計測値を取得する。
【００７０】
（ステップＳ２０３）次に、通信装置２−１の判定部１１４は、ステップＳ２０２で取得された第２の計測値から第２の特徴量を抽出する。
【００７１】
（ステップＳ２０４）次に、通信装置２−１の判定部１１４は、各ビーコン信号に含まれる第１の特徴量それぞれと、ステップＳ２０３で抽出された第２の特徴量とを比較する。この際、比較するのは、一つの特徴量同士ではなく、複数の特徴量同士でもよい。  
通信装置２−１の判定部１１４は、このように比較することにより、受信したビーコン信号それぞれについて、当該通信装置２−１が設置された人と同一の人から取得されたセンシング情報が含まれるか否かを判定する。
【００７２】
通信装置２−１の判定部１１４は、判定の結果、当該通信装置２−１が設置された人と同一の人から取得されたセンシング情報が含まれると判定されたビーコン信号を送信した通信装置を、接続対象となるハブに決定する。ここで、一例として、通信装置１が、接続対象となるハブに決定されたものとする。
【００７３】
（ステップＳ２０５）そして、通信装置２−１の送信部１０７は、決定されたハブすなわち通信装置１に対し、ハブへの接続を要求する接続要求信号を送信する。接続要求信号は、例えば、加入要求のための管理フレームである。
【００７４】
言い換えると、通信装置２−１の判定部１１４は、センシング情報を比較した結果、自装置と異なる人から取得された生体情報が含まれると判定した場合、このビーコン信号を送信した通信装置を、接続対象となるハブではないと判定する。そして、通信装置２−１の送信部１０７は、このハブの通信装置に対しては、いくら受信信号強度が大きくても接続を要求しない。
【００７５】
図５の例の場合、通信装置２−１が通信装置２０、３０、４０から送信されたビーコン信号Ｂ２、Ｂ３、Ｂ４をそれぞれ受信した際、ビーコン信号内のセンシング情報が含まれるフィールドを参照し、参照したセンシング情報と、自装置で取得したセンシング情報とを比較する。比較の結果、同一の人から取得したセンシング情報でないことが判明する。そのため、通信装置２−１は、各ビーコン信号を送信した通信装置に対して、接続を要求しない。
【００７６】
一方、通信装置２−１が通信装置１から送信されたビーコン信号Ｂ１を受信した場合、センシング情報の比較から同一の人から取得したセンシング情報であることが判明する。そのため、通信装置２−１は、通信装置１を接続対象となるハブに決定し、通信装置１に対し接続を要求する。
【００７７】
続いて、ハブである通信装置１の処理を説明する。
【００７８】
（ステップＳ１０４）次に、ハブである通信装置１の受信部１０８は、ステップＳ２０５で送信された接続要求信号を受信する。
【００７９】
（ステップＳ１０５）次に、ハブである通信装置１の上位層処理部１０４あるいはＭＡＣ処理部１０３内の図示していない管理部は、ノードである通信装置２−１を無線ネットワークに加入させるための処理を実行する。
【００８０】
（ステップＳ１０６）次に、ハブである通信装置１の送信部１０７は、応答信号をノードである通信装置２−１へ送信する。
【００８１】
（ステップＳ２０６）次に、ノードである通信装置２−１の受信部１０８は、ステップＳ１０６で送信された応答信号を受信する。
【００８２】
以上、第１の実施形態に係る通信装置２−１は、通信装置１が形成する無線ネットワークに新たに加入する際に、受信部１０８は、第１のセンサで計測されて得られた第１のセンシング情報を含む送信信号を他の通信装置である通信装置１から受信する。
【００８３】
判定部１１４は、受信した送信信号に含まれる第１のセンシング情報と、第２のセンサで計測されて得られた第２のセンシング情報とを比較することにより、第１のセンシング情報と第２のセンシング情報とが同一の対象物体から取得されたか否かを判定する。
【００８４】
送信部１０７は、判定の結果、同一の対象物体から取得されたと判定された場合、無線ネットワークへ自装置を接続させるための無線接続信号（ここでは一例として接続要求信号）を、他の通信装置である通信装置１へ送信する。
【００８５】
このように、センシング情報は物体毎に異なり、且つ同一の対象物体から得られた二つのセンシング情報は値が一致するかまたは値が対応するため、センシング情報を比較することで、通信装置が設置された対象物体と同一の対象物体に設置されたハブを選択する確率を向上させることができる。換言すれば、周辺に存在する別の無線ネットワークを形成しているハブに誤って接続する確率を低減することができる。
【００８６】
また、受信した送信信号に、当該通信装置２−１が設置された対象物体と同一の対象物体から取得されたセンシング情報が含まれる場合に、その送信信号を送信した通信装置をハブに選択する。このため、ユーザの選択を介さずに、通信装置２−１は、ハブと接続することができる。
【００８７】
その結果、第１の実施形態に係る通信装置２−１は、ユーザの選択を介さずに、通信装置２−１が設置された対象物体と同一の対象物体に設置されたハブに接続する確率を向上させることができる。
【００８８】
なお、通信装置２−１は、同一の人から取得されたセンシング情報が含まれるか否かの判定においては、第１のセンシング情報と第２のセンシング情報は、同じ種類であってもよいし、異なる種類であってもよい。
【００８９】
例えば、図１の例の場合、ハブである通信装置１が取得しビーコン信号内に含めるセンシング情報、ならびに新規に接続するノードである通信装置２−１が取得するセンシング情報は、それぞれ胸（通信装置１）ならびに右足（通信装置２−１）で取得した同一種類の生体情報（例えば、脈波）に関するものであってもよい。一方、胸では心拍に関する情報、右足では脈波に関する情報のように異なる種類であってもよい。
【００９０】
生体情報が同じ種類の場合、判定部１１４は、それぞれの部位で計測された生体情報（例えば、脈波）の特徴量を比較し、同一の人の情報か否かを判定してもよい。
【００９１】
このように、第１のセンシング情報と第２のセンシング情報が同じ種類のセンサで計測して得られたものである場合、例えば、判定部１１４は、第１のセンシング情報（例えば、第１の特徴量）と第２のセンシング情報（例えば、第２の特徴量）とが一致する場合、第１の特徴量を含む送信信号に、当該通信装置２−１が設置された物体と同一の対象物体から取得されたセンシング情報が含まれると判定してもよい。一致とは、例えば、特徴量があるオーダで同じになる場合、及び特徴量の差が予め決められた範囲内にある場合を含む。
【００９２】
なお、本実施形態では、ハブである通信装置１が第１のセンシング情報から特徴量を抽出して送信したが、これに限ったものではない。通信装置１が特徴量を抽出せずに第１のセンシング情報の生データを含むビーコン信号を送信する場合もある。その場合、通信装置２−１が、ビーコン信号に含まれる第１のセンシング情報から第１の特徴量を抽出し、抽出した第１の特徴量と、自身が計測した第２のセンシング情報から抽出した第２の特徴量とを比較してもよい。
【００９３】
一方、生体情報が異なる種類の場合でも、例えば心拍と脈波などには高い相関があることが知られている。このように、ハブが有する第１のセンサと新規に接続するノードが有する第２のセンサとは互いに計測値が相関関係を有する異なる種類のセンサである場合を想定する。その場合に、判定部１１４は、それぞれの特徴量（例えば、計測値の変動パターンなど）を比較することで、二つの生体情報が同一の人から取得した情報なのか否かを判定してもよい。ここで、計測値の変動パターンは、複数の時刻で計測された計測値を用いて決定された特徴量（例えば、ピークの時間間隔の時間変化、立ち上がりの角度など）である。
【００９４】
このように、判定部１１４は、第１のセンサの計測値の変動パターンと第２のセンサの計測値の変動パターンを比較することにより、判定を行ってもよい。具体的には例えば、判定部１１４は、第１のセンサの計測値の変動パターンと第２のセンサの計測値の変動パターンとの間に、予め決められた対応関係がある場合、第１のセンシング情報と第２のセンシング情報が同一の対象物体から得られた情報であると判定してもよい。
【００９５】
このように、判定に用いる生体情報は、通信装置を装着する部位や通信装置が備えるセンサの種類によって、同一の人から取得した生体情報か否かが判定できれば、どのような組み合わせであってもよい。そのため、判定部１１４は、複数の生体情報を組み合わせて判定してもよい。複数の生体情報を組み合わせて判定することにより、判定の精度を高めることができる。
【００９６】
また、同一の人の情報か否かを判定する際、規定の期間に受信したビーコン信号の中に、センシング情報が一致するビーコン信号が存在しない場合、判定部１１４は、受信した複数のビーコン信号の中で、通信装置２−１が自装置で取得したセンシング情報と最も近いセンシング情報が含まれるビーコン信号を送信した通信装置を、接続対象となるハブに決定してもよい。
【００９７】
具体的には例えば、判定部１１４は、第２の特徴量と最も近い特徴量が含まれる送信信号を送信した通信装置を、接続対象となるハブに決定してもよい。
【００９８】
その一例として、判定部１１４は、第１の特徴量と第２の特徴量との差を出して、その差が最小となる第１の特徴量が含まれる送信信号を送信した通信装置を、接続対象となるハブに決定してもよい。
【００９９】
あるいは、判定部１１４は、第１の特徴量と第２の特徴量との差を出して、その差が閾値以下、且つ差が最小となる第１の特徴量が含まれる送信信号を送信した通信装置を、接続対象となるハブに決定してもよい。
【０１００】
あるいは、判定部１１４は、第１の特徴量と第２の特徴量との差を出して、その差が閾値以内である第１の特徴量が含まれる送信信号を送信した通信装置を、接続対象となるハブに決定してもよい。
【０１０１】
（第１の実施形態の変形例）
続いて、第１の実施形態の変形例について説明する。図６は、第１の実施形態の変形例におけるハブである通信装置１ａの構成を示す図である。なお、図２と共通する要素には同一の符号を付し、その具体的な説明を省略する。図６の通信装置１ａの構成は、図２の通信装置１の構成に比べて、入力部１１３が追加された構成になっている。
【０１０２】
入力部１１３は、通信装置１ａを使用するユーザからのトリガ入力を受け付け可能な外部インタフェースである。入力部１１３は、例えば、ボタンである。ボタン以外でもユーザからトリガ入力を与えることが可能なものであればどのようなものであってもよい。
【０１０３】
ビーコン信号生成部１０９は、入力部１１３を介してユーザからのトリガ入力が入力されると、トリガ入力を基に、一定期間だけビーコン信号内にセンサ１１０〜１１２で計測されて得られた第１のセンシング情報を含ませる。
【０１０４】
これにより、通信装置１ａの入力部１１３がユーザからのトリガ入力を基に、一定期間だけ、ビーコン信号に第１のセンシング情報が含まれる。
【０１０５】
ビーコン信号生成部１０９は、トリガ入力を基に、一定期間以上経過したビーコン信号には、センシング情報を含めない。ユーザは、所望の無線ネットワークにノードを新たに新規接続する場合は、入力部１１３を利用して入力トリガを与えることにより、一定期間だけビーコン信号に生体情報を含めることができる。これにより、ビーコン信号内に常にセンシング情報を含めることなく、ユーザは新規接続が必要な場合に一定期間のみビーコン信号内にセンシング情報を含めることができる。このため、ビーコン信号で必要以上にセンシング情報を報知することを防止することができる。その結果、個人情報の一つであるセンシング情報が漏洩するリスクを低減することができる。
【０１０６】
（第２の実施形態）
第１の実施形態では、ハブである通信装置は、自らが備えるセンサで取得したセンシング情報を、ビーコン信号に含めて周期的に送信した。それに対し、第２の実施形態では、自らが備えるセンサで取得したセンシング情報をビーコン信号内に含めるのではなく、既に自装置が形成する無線ネットワークに接続済みであるノードの通信装置２−２〜２−７の少なくともいずれか１台から送信されたセンシング情報をビーコン信号内に含める。そのため、第２の実施形態におけるハブである通信装置１は、センサは不要となる。
【０１０７】
図７は、第２の実施形態におけるハブである通信装置１ｂの構成を示す図である。なお、図２と共通する要素には同一の符号を付し、その具体的な説明を省略する。図７の通信装置１ｂの構成は、図２の通信装置１の構成に対して、センサ１１０〜１１２が削除された構成になっている。
【０１０８】
受信部１０８は、接続しているノードの通信装置からこのノードで取得されたセンシング情報を含んだフレームを受信した場合、受信フレーム内のセンシング情報が含まれるフィールドからセンシング情報を抽出し、抽出したセンシング情報をビーコン信号生成部１０９に渡す。
【０１０９】
ビーコン信号生成部１０９は、ノードで取得したセンシング情報を必要に応じて、不図示のバッファなどに蓄えた後、周期的に生成するビーコン信号に受信したセンシング情報を含める。そして、送信部３０８は、このビーコン信号をブロードキャストで無線送信する。
【０１１０】
ここで、ビーコン信号生成部１０９がビーコン信号内に含めるセンシング情報は、接続しているノードの通信装置のうち、いずれか１台が取得されたセンシング情報であってもよいし、接続している全ての無線装置から取得された生体情報を含んでいてもよい。
【０１１１】
以上の構成を有する通信装置１ｂ、通信装置１ｂに未接続で通信装置２−１、及び通信装置１ｂに接続済みの通信装置２−２の動作を図８を用いて説明する。図８は、第２の実施形態における接続確立の処理の一例を示すフローチャートである。
【０１１２】
（ステップＳ３０１）まず、接続済みのノードである通信装置２−２の送信部１０７は、自装置内のセンサ１１０で計測された第１の計測値を取得する。
【０１１３】
（ステップＳ３０２）次に、通信装置２−２の送信部１０７は、ステップＳ３０１で取得した第１の計測値から第１の特徴量を抽出する。
【０１１４】
（ステップＳ３０３）次に、通信装置２−２の送信部１０７は、ステップＳ３０２で抽出した第１の特徴量を含むフレームを送信する。
【０１１５】
（ステップＳ４０１）次に、ハブである通信装置１ｂの受信部１０８は、ステップＳ３０３で送信されたフレームを受信する。
【０１１６】
（ステップＳ４０２）次に、ハブである通信装置１ｂのビーコン信号生成部１０９は、受信したフレームに含まれる第１の特徴量を含むビーコン信号を生成する。そして、送信部１０７は、生成したビーコン信号をブロードキャストで無線送信する。
【０１１７】
（ステップＳ５０１）次に、未接続の通信装置２−１は、ステップＳ４０２で送信されたビーコン信号を含む複数のビーコン信号を受信する。
【０１１８】
（ステップＳ５０２）次に、通信装置２−１の判定部１１４は、自装置内のセンサ１１０で計測開始された第２の計測値を取得する。
【０１１９】
（ステップＳ５０３）次に、通信装置２−１の判定部１１４は、ステップＳ５０２で取得された第２の計測値から第２の特徴量を抽出する。
【０１２０】
（ステップＳ５０４）次に、通信装置２−１の判定部１１４は、各ビーコン信号に含まれる第１の特徴量それぞれと、ステップＳ５０３で抽出された第２の特徴量とをそれぞれ比較する。通信装置２−１の判定部１１４は、このように比較することにより、受信したビーコン信号に含まれる第１の特徴量それぞれについて、当該通信装置２−１が設置された人と同一の人から取得された特徴量であるか否かを判定する。
【０１２１】
通信装置２−１の判定部１１４は、判定の結果、当該通信装置２が設置された人と同一の人から取得された特徴量であると判定された第１の特徴量を含むビーコン信号を送信した通信装置を、接続対象となるハブに決定する。ここでは、一例として、通信装置１ｂが接続対象となるハブに決定されたものとする。
【０１２２】
（ステップＳ５０５）そして、通信装置２−１の送信部１０７は、この通信装置１ｂに対し、通信装置１ｂへの接続を要求する接続要求信号を送信する。
【０１２３】
（ステップＳ４０３）次に、ハブである通信装置１ｂの受信部１０８は、ステップＳ５０５で送信された接続要求信号を受信する。
【０１２４】
（ステップＳ４０４）次に、ハブである通信装置１ｂの上位層処理部１０４あるいはＭＡＣ処理部１０３内の図示していない管理部は、通信装置２−１を無線ネットワークに加入させるための処理を実行する。
【０１２５】
以上、第２の実施形態において、通信装置１ｂが形成する無線ネットワークに既に接続された通信装置（第３の通信装置）２−２が第１のセンサを備えている。そして、通信装置２−１の受信部１０８が受信した第１のセンシング情報は、通信装置１ｂが通信装置（第３の通信装置）２−２から通信により取得した情報である。
【０１２６】
これにより、体の様々な部位に装着されたセンサで取得した情報をビーコン信号に含めることが可能となる。そのため、新規にハブに接続する通信装置２−１の判定部１１４が、同一の人から取得したセンシング情報か否かの判定を行う際、ハブが設置された体の部位では取得できないセンシング情報を利用することができる。
【０１２７】
従って、第１の実施形態に比べて、判定部１１４による判定の精度を高めることができる。また、ハブである通信装置１ｂにセンサを備える必要がなく、ハブである通信装置１ｂを設置する体の部位に制約を受けにくくなる利点がある。
【０１２８】
また、第２の実施形態において、ハブである通信装置１ｂに１台も接続されていない状態では、通信装置１ｂはいずれのノードである通信装置２−２〜２−７からもセンシング情報の送信は行われないため、ビーコン信号内にセンシング情報を含めることができない。その結果、この方法では１台も通信装置１ｂに新規に接続できなくなるため、ハブである通信装置１ｂと少なくとも１台以上のノードは、何らかの方法にて初期段階にてペアリングされていることが好ましい。
【０１２９】
（第３の実施形態）
第１及び第２の実施形態では、ハブである通信装置がビーコン信号に、個人が識別できうるセンシング情報そのものを含めた。それに対し、第３の実施形態では、ビーコン信号に直接センシング情報を含めるのではなく、センシング情報をハッシュ化した情報をビーコン信号に含める。
【０１３０】
図９は、第３の実施形態におけるハブである通信装置１ｃの構成を示す図である。なお、図２と共通する要素には同一の符号を付し、その具体的な説明を省略する。図８の通信装置１ｃの構成は、図２の通信装置１の構成に対して、ビーコン信号生成部１０９がビーコン信号生成部１０９ｃに変更された構成になっている。
【０１３１】
ビーコン信号生成部１０９ｃは、自装置が備えるセンサで取得したセンシング情報、あるいは既に接続しているノードの通信装置２−２〜２−７が取得し送信してきたセンシング情報、のいずれかを入力値として、ハッシュ化を行う。ハッシュ化を行う際に用いるハッシュ関数は、どのようなものであっても構わない。
【０１３２】
ビーコン信号生成部１０９ｃは、ハッシュ化後に得られるハッシュ値を含むビーコン信号を生成し、生成したビーコン信号を周期的にブロードキャストで無線送信する。
【０１３３】
一方、通信装置１ｃが形成する無線ネットワークに新たに加入する通信装置２ｃの構成について、図１０を用いて説明する。図１０は、第３の実施形態におけるノードである通信装置２ｃの構成を示す図である。なお、図３と共通する要素には同一の符号を付し、その具体的な説明を省略する。図１０の通信装置２ｃの構成は、図３の通信装置２の構成に対して、判定部１１４が判定部１１４ｃに変更されている。それに伴い、ＭＡＣ処理部２０３がＭＡＣ処理部２０３ｃに変更されている。
【０１３４】
判定部１１４ｃは、自装置が設置された体の部位においてセンサ１１０〜１１２が計測した計測値を取得する。それと共に、判定部１１４ｃは、取得された計測値または計測値から抽出された特徴量を入力値として、ハッシュ化を行うことで第２のハッシュ値を取得する。ここで、用いるハッシュ関数は、無線ネットワークを形成する通信装置１ｃが用いるハッシュ関数と同じである。
【０１３５】
そして、判定部１１４ｃは、スキャンにより受信した各ビーコン信号内の第１のハッシュ値が含まれるフィールドを参照し、第１のハッシュ値それぞれと第２のハッシュ値とを比較する。すなわち、判定部１１４ｃは、ハッシュ値同士をそれぞれ比較する。これにより、判定部１１４ｃは、受信した第１のハッシュ値それぞれについて、自装置と同一の人から取得された計測値を基にして得られたハッシュ値であるか否かを判定する。
【０１３６】
同一の人から取得された同じ種類の計測値（例えば、脈波）または同じ種類の計測値から抽出された特徴量を、入力値にして得られたハッシュ値であれば、ハッシュ値同士のビット系列が一致する。
【０１３７】
例えば、特徴量として脈波のピーク間隔を用いる場合に、脈波のピーク間隔を４ビットのビット列にハッシュする場合、判定部１１４ｃは、４ビットのビット列が一致したときに、受信したハッシュ値を自装置と同一の人から取得された計測値を基にして得られたハッシュ値であると判定してもよい。
【０１３８】
あるいは、通信装置１ｃと通信装置２ｃとで、ハッシュ関数の入力値として同じ種類の計測値または同じ種類の計測値から抽出されたハッシュ値を用いていない場合を想定する。その場合、判定部１１４ｃは、センサの計測値同士の相関関係を利用して、受信したハッシュ値それぞれについて、自装置と同一の人から取得された計測値を基にして得られたハッシュ値か否かを判定する。
【０１３９】
具体的には、例えば、ハブの第１のセンサが心拍を計測し、ノードの第２のセンサが脈波を計測する場合を想定する。そして、判定部１１４ｃが備える不図示のメモリには、心拍のピーク間隔のハッシュ値が与えられたときに、対応する脈波のピーク間隔のハッシュ値の一つ以上の候補が関連づけられたテーブルが記憶されていることを前提とする。その前提で、判定部１１４ｃは、このテーブル内でビーコン信号内のハッシュ値と同じ心拍のピーク間隔のハッシュ値を探索する。そして、判定部１１４ｃは、探索の結果、見つかった心拍のピーク間隔のハッシュ値に対応する脈波のピーク間隔のハッシュ値の候補の中に、自装置で計測された脈波のピーク間隔のハッシュ値があるか否か判定する。この判定の結果、自装置で計測された脈波のピーク間隔のハッシュ値がある場合、判定部１１４ｃは、当該ビーコン信号内のハッシュ値を、自装置と同一の人から取得されたセンシング情報を基にして得られたハッシュ値であると判定する。上記のメモリはＤＲＡＭ等の揮発性メモリでも、ＮＡＮＤ、ＭＲＡＭ等の不揮発メモリでもよい。または、メモリでなく、ハードディスク、ＳＳＤなどの記憶媒体を用いてもよい。
【０１４０】
そして、送信部１０７は、判定により、自装置と同一の人から取得された生体情報を基にして得られたハッシュ値を含むビーコン信号を送信したハブの通信装置に対して、接続要求信号（例えば、接続要求フレーム）を送信する。
【０１４１】
続いて、通信装置２ｃ−１がハブである通信装置１ｃが形成する無線ネットワークに新たに加入する場合を想定して、図１１を用いて接続確立の処理を説明する。図１１は、第３の実施形態における接続確立の処理の一例を示すフローチャートである。なお、他のノードである通信装置２ｃ−２、…、２ｃ−７は、一例として、既にハブである通信装置１ｃに接続済みである。
【０１４２】
ステップＳ６０１〜６０２の処理は、図４のステップＳ１０１〜１０２の処理と同一であるので、その説明を省略する。
【０１４３】
（ステップＳ６０３）次に、通信装置１ｃのビーコン信号生成部１０９ｃは、第１の特徴量をハッシュ化した第１のハッシュ値を算出する。
【０１４４】
（ステップＳ６０４）次に、通信装置１ｃの送信部１０７は、第１のハッシュ値を含むビーコン信号をブロードキャストで無線送信する。
【０１４５】
ステップＳ７０１〜７０３の処理は、図４のステップＳ２０１〜２０３の処理と同一であるので、その説明を省略する。
【０１４６】
（ステップＳ７０４）次に、通信装置２ｃ−１の判定部１１４ｃは、第２の特徴量をハッシュ化した第２のハッシュ値を算出する。
【０１４７】
（ステップＳ７０５）次に、通信装置２ｃ−１の判定部１１４ｃは、複数の通信装置から受信したビーコン信号に含まれる第１のハッシュ値それぞれと第２のハッシュ値とを比較する。そして、通信装置２ｃ−１の判定部１１４ｃは、第１のハッシュ値それぞれについて、自装置が設置された人と同一の人から取得された計測値を基にして得られたハッシュ値であるか否かを判定する。
【０１４８】
通信装置２ｃ−１の判定部１１４ｃは、判定の結果、当該通信装置２ｃ−１が設置された人と同一の人から取得された計測値を基にして得られたハッシュ値であると判定された第１のハッシュ値を含むビーコン信号を送信した通信装置を、接続の対象となるハブに決定する。ここでは、一例として、通信装置１ｃが接続の対象となるハブに決定されたものとする。
【０１４９】
（ステップＳ７０６）そして、通信装置２ｃ−１の送信部１０７は、この通信装置１ｃに対し、通信装置１ｃへの接続を要求する接続要求信号を送信する。
【０１５０】
（ステップＳ６０５）次に、通信装置１ｃの受信部１０８は、ステップＳ７０６で送信された接続要求信号を受信する。
【０１５１】
（ステップＳ６０６）次に、通信装置１ｃの上位層処理部１０４あるいはＭＡＣ処理部１０３内の図示していない管理部は、通信装置２ｃ−１を無線ネットワークに加入させるための処理を実行する。
【０１５２】
以上、第３の実施形態において、第１のセンシング情報は、通信装置１ｃの第１のセンサの計測値または第１のセンサの計測値から抽出された第１の特徴量をハッシュ化した第１のハッシュ値である。通信装置２ｃの判定部１１４ｃは、自装置の第２のセンサの計測値または第２のセンサの計測値から抽出された第２の特徴量をハッシュ化した第２のハッシュ値を第２のセンシング情報として算出する。そして、判定部１１４ｃは、第１のハッシュ値と第２のハッシュ値を比較することにより、第１のハッシュ値それぞれについて、自装置が設置された人と同一の人から取得された計測値を基にして得られたハッシュ値であるか否かを判定する。
【０１５３】
これにより、ビーコン信号内に含まれる情報が、第１のセンサの計測値または第１の特徴量などの情報そのものではなくハッシュ値である。ここで、ハッシュ値は単なるランダムなビット系列に過ぎず、ハッシュ化した情報は、元の情報に戻すことができない。よって、仮に第三者がビーコン信号を受信し解析した場合であっても、元の情報に戻すことができないので、第三者に元の情報が漏れることを防止することができる。
【０１５４】
（第４の実施形態）
第１から第３の実施形態では、新規にハブである通信装置が形成する無線ネットワークに接続する際の方法として、各ハブの通信装置が周期的に送信するビーコン信号を一定時間、受動的に受信することで、周辺に存在する無線ネットワークを検出するＰａｓｓｉｖｅスキャンによる方法について説明した。それに対し、第４の実施形態では、Ａｃｔｉｖｅスキャンによる方法について説明する。
【０１５５】
第４の実施形態では、通信装置１ｄが形成する無線ネットワークに新たに加入する通信装置２ｄ−１は、設置された体の部位において自装置のセンサを用いて生体情報を取得開始する。それと共に、通信装置２ｄ−１は、自装置のセンサで計測して得られたセンシング情報をプローブ要求信号に含め、ブロードキャストで無線送信する。このプローブ要求信号は、自装置と同じ物体（ここでは一例として人）に設置されているハブに対して応答を要求する信号である。
【０１５６】
周辺に存在するハブの通信装置は、通信装置２ｄ−１が送信したプローブ要求信号を受信する。各ハブの通信装置は、プローブ要求信号を受信した場合、プローブ要求信号内のセンシング情報が含まれるフィールドを参照し、各ハブが備えるセンサで取得したセンシング情報と比較する。比較した結果、プローブ要求信号内のセンシング情報が同一の人から取得されたセンシング情報と判定した場合、ハブは、プローブ要求信号の応答として、プローブ応答信号を通信装置２ｄに対して返信する。このプローブ応答信号は、プローブ要求信号へ応答する信号である。
【０１５７】
一方、同一の人から取得したセンシング情報でないと判定した場合、ハブは、何も応答を行わない。つまり、ハブの通信装置は、自らのセンサで取得したセンシング情報と一致したセンシング情報を含むプローブ要求信号を受信した場合のみ、プローブ応答信号を返信する。
【０１５８】
図１２は、第４の実施形態におけるハブである通信装置１ｄの構成を示す図である。なお、図２と共通する要素には同一の符号を付し、その具体的な説明を省略する。図１２の通信装置１ｄの構成は、図２の通信装置１の構成に対して、ビーコン信号生成部１０９が削除され、判定部１１４ｄが追加されている。それに伴い、ＭＡＣ処理部１０３がＭＡＣ処理部１０３ｄに変更されている。
【０１５９】
受信部１０８は、通信装置２ｄ−１が送信したプローブ要求信号を受信する。
【０１６０】
判定部１１４ｄは、上述したように、受信部１０８がプローブ要求信号を受信した場合、プローブ要求信号内のセンシング情報が含まれるフィールドを参照し、各ハブが備えるセンサで取得したセンシング情報と比較する。
【０１６１】
比較した結果、判定部１１４ｄがプローブ要求信号内のセンシング情報が同一の人から取得されたセンシング情報と判定した場合、送信部１０７は、プローブ要求信号の応答として、プローブ応答信号を通信装置２ｄに対して返信する。一方、判定部１１４ｄが同一の人から取得したセンシング情報でないと判定した場合、送信部１０７は、何も応答を行わない。
【０１６２】
図１３は、第４の実施形態におけるノードである通信装置２ｄの構成を示す図である。なお、図３と共通する要素には同一の符号を付し、その具体的な説明を省略する。図１３の通信装置２ｄの構成は、図３の通信装置２の構成に対して、判定部１１４が削除され、プローブ要求信号生成部１１５が追加されている。それに伴い、ＭＡＣ処理部２０３がＭＡＣ処理部２０３ｄに変更されている。
【０１６３】
プローブ要求信号生成部１１５は、自装置のセンサ１１０〜１１２で計測して得られたセンシング情報を含むプローブ要求信号を生成する。
【０１６４】
送信部１０７は、生成されたプローブ要求信号をブロードキャストで無線送信する。
【０１６５】
続いて、通信装置２ｄ−１がハブである通信装置１ｄが形成する無線ネットワークに新たに加入する場合を想定して、図１４を用いて接続確立の処理を説明する。図１４を用いて説明する。図１４は、第４の実施形態における接続確立の処理の一例を示すフローチャートである。なお、他のノードである通信装置２ｄ−２、…、２ｄ−７は、一例として、既にハブである通信装置１ｄに接続済みである。
【０１６６】
（ステップＳ９０１）まず、通信装置２ｄ−１のプローブ要求信号生成部１１５は、自装置内のセンサ１１０で計測された第１の計測値を取得する。
【０１６７】
（ステップＳ９０２）次に、通信装置２ｄ−１のプローブ要求信号生成部１１５は、ステップＳ１０１で取得した第１の計測値から第１の特徴量を抽出する。
【０１６８】
（ステップＳ９０３）次に、通信装置２ｄ−１の送信部１０７は、第１の特徴量を含むプローブ要求信号を周期的にブロードキャストで無線送信する。
【０１６９】
このように、接続を希望する通信装置２ｄ−１は、自らが備えるセンサで計測して得られたセンシング情報を、プローブ要求信号に含めて周期的に送信する。
【０１７０】
（ステップＳ８０１）次に、通信装置１ｄの受信部１０８は、ステップＳ９０３で送信されたプローブ要求信号を含む複数のプローブ要求信号を受信する。
【０１７１】
（ステップＳ８０２）次に、通信装置１ｄの判定部１１４ｄは、自装置内のセンサ１１０で計測開始された第２の計測値を取得する。
【０１７２】
（ステップＳ８０３）次に、通信装置１ｄの判定部１１４ｄは、ステップＳ８０２で取得された第２の計測値から第２の特徴量を抽出する。
【０１７３】
（ステップＳ８０４）次に、通信装置１ｄの判定部１１４ｄは、各プローブ要求信号に含まれる第１の特徴量それぞれと、ステップＳ８０３で抽出された第２の特徴量とを比較する。この際、比較するのは、一つの特徴量同士ではなく、複数の特徴量同士でもよい。
【０１７４】
通信装置１ｄの判定部１１４ｄは、このように比較することにより、受信したプローブ要求信号それぞれについて、当該通信装置１ｄが設置された人と同一の人から取得されたセンシング情報が含まれるか否かを判定する。
【０１７５】
通信装置１ｄの判定部１１４ｄは、判定の結果、当該通信装置１ｄが設置された人と同一の人から取得されたセンシング情報が含まれると判定されたプローブ要求信号を送信した通信装置を、接続許可の対象となるノードに決定する。ここで、一例として、通信装置２ｄ−１が、接続許可の対象となるノードに決定されたものとする。
【０１７６】
（ステップＳ８０５）そして、通信装置１ｄの送信部１０７は、ステップＳ８０５で決定されたノードすなわち通信装置２ｄ−１に対し、接続を許可するプローブ応答信号を無線送信する。
【０１７７】
（ステップＳ９０４）次に、通信装置２ｄ−１の受信部１０７は、ステップＳ８０６で無線送信されたプローブ応答信号を受信する。
【０１７８】
以上、第４の実施形態に係る通信装置１ｄにおいて、受信部１０８は、第１のセンサで計測されて得られた第１のセンシング情報を含む送信信号を他の通信装置である通信装置２ｄ−１から受信する。
【０１７９】
判定部１１４ｄは、受信した送信信号に含まれる第１のセンシング情報と、第２のセンサで計測されて得られた第２のセンシング情報とを比較することにより、第１のセンシング情報と第２のセンシング情報とが同一の対象物体から取得されたか否かを判定する。
【０１８０】
送信部１０７は、同一の対象物体から取得されたと判定された場合、無線ネットワークへ他の通信装置である通信装置２ｄ−１を接続させるための無線接続信号（ここでは一例として、プローブ応答信号）を、他の通信装置である通信装置２ｄ−１へ送信する。
【０１８１】
これにより、通信装置２ｄ−１は、自装置が設置されている人と同一の人に設置され無線ネットワークを形成している通信装置１ｄのみからプローブ応答信号を受信する。このため、通信装置２ｄ−１は、自装置が設置されている人とは別の人に設置されている通信装置をハブに選択することなく、通信装置１ｄをハブとして選択することができる。その結果、通信装置２ｄ−１は、自装置が設置されている人と同一の人に設置された通信装置１ｄに確実に接続することができる。
【０１８２】
（第５の実施形態）
続いて、第５の実施形態について説明する。第５の実施形態では、第１の実施形態の通信装置１及び通信装置２のハードウェア構成例について説明する。まず、第１の実施形態の通信装置１のハードウェア構成例について、図１５を用いて説明する。
【０１８３】
（通信装置１のハードウェア構成例）
図１５は、第１の実施形態に係る通信装置１のハードウェア構成例を示す図である。このハードウェア構成は一例であり、ハードウェア構成は種々の変更が可能である。図１５に示した通信装置の動作は、これまで図２で説明したハブの通信装置と同様であるため、以下では、ハードウェア構成上の違いを中心に説明し、詳細な動作の説明は省略する。
【０１８４】
本通信装置は、ベースバンド部２１１、ＲＦ部２２１と、少なくとも１つのアンテナ１００とを備える。
【０１８５】
ベースバンド部２１１は、制御回路２１２と、送信処理回路２１３と、受信処理回路２１４と、ＤＡ変換回路２１５、２１６と、ＡＤ変換回路２１７、２１８とを含む。ＲＦ部２２１とベースバンド部２１１は、まとめて１チップのＩＣ（Ｉｎｔｅｇｒａｔｅｄ  Ｃｉｒｃｕｉｔ：集積回路）として構成されてもよいし、別々のチップで構成されてもよい。
【０１８６】
一例として、ベースバンド部２１１は、ベースバンドＬＳＩまたはベースバンドＩＣまたはこれらの両方である。または、ベースバンド部２１１が、図示の点線の枠で示すように、ＩＣ２３２とＩＣ２３１とを備えてもよい。このとき、ＩＣ２３２が制御回路２１２と送信処理回路２１３と受信処理回路２１４とを含み、ＩＣ２３１が、ＤＡ変換回路２１５、２１６とＡＤ変換回路２１７、２１８を含むように、各ＩＣに分かれてもよい。  ＩＣ２３２は、１チップＩＣの形態、複数のチップＩＣからなる形態のいずれも含む。
【０１８７】
制御回路２１２は、主として図２に示したＭＡＣ処理部１０３の機能を実行する。上位層処理部１０４の機能を、制御回路２１２に含めても構わない。制御回路２１２またはＩＣ２３２は、一例として、通信を制御する通信処理装置、または通信を制御する制御部に対応する。このとき本実施形態に係る無線通信部は、送信回路２２２及び受信回路２２３を含んでもよい。無線通信部は、送信回路２２２及び受信回路２２３に加えて、ＤＡ変換回路２１５、２１６及びＡＤ変換回路２１７、２１８を含んでもよい。無線通信部は、送信回路２２２及び受信回路２２３、ＤＡ変換回路２１５、２１６及びＡＤ変換回路２１７、２１８に加えて、送信処理回路２１３及び受信処理回路２１４を含んでもよい。本実施形態に係る集積回路は、ベースバンド部２１１の全部または一部の処理、すなわち、制御回路２１２、送信処理回路２１３、受信処理回路２１４、ＤＡ変換回路２１５、２１６及びＤＡ変換回路２１７、２１８の全部または一部の処理を行うプロセッサを備えていてもよい。
【０１８８】
送信処理回路２１３は、図２に示した変調部１０５の物理層の処理を行う部分に対応する。すなわち、送信処理回路２１３は、プリアンブル及び物理ヘッダの追加や符号化、変調などの処理を行い、例えば２種類のデジタルベースバンド信号（以下、デジタルＩ信号とデジタルＱ信号）を生成する。ＭＩＭＯ送信の場合は各ストリームに応じてそれぞれ２種類のデジタルベースバンド信号を生成する。
【０１８９】
受信処理回路２１４は、図２に示した復調部１０６の物理層の受信処理を行う部分に対応する。すなわち、受信処理回路２１４は、復調や、復号化、プリアンブル及び物理ヘッダの解析などの処理を行う。
【０１９０】
なお、図２の送信部１０７の機能を送信処理回路２１３に含め、受信部１０８の機能を受信処理回路２１４に含め、ビーコン信号生成部１０９の機能を、制御回路２１２に含める構成も可能である。
【０１９１】
ＤＡ変換回路２１５、２１６は、図２に示した変調部１０５のＤＡ変換を行う部分に相当する。ＤＡ変換回路２１５、２１６は、送信処理回路２１３から入力される信号をＤＡ変換する。より詳細には、ＤＡ変換回路２１５はデジタルＩ信号をアナログのＩ信号に変換し、ＤＡ変換回路２１６はデジタルＱ信号をアナログのＱ信号に変換する。なお、直交変調せずに一系統の信号のままで送信する場合もありうる。この場合、ＤＡ変換回路は１つだけでもよい。また、一系統または複数系統の送信信号をアンテナの数だけ振り分けて送信する場合には、アンテナの数に応じた数のＤＡ変換回路を設けてもよい
【０１９２】
ＲＦ部２２１は、一例としてＲＦアナログＩＣあるいは高周波ＩＣである。ＲＦ部２２１における送信回路２２２は、図２に示した変調部１０５のうちＤＡ変換より後の段階の送信時のアナログ処理を行う部分と、無線部１０１のうち送信時のアナログ処理を行う部分とに相当する。送信回路２２２は、ＤＡ変換回路２１５、２１６によりＤＡ変換されたフレームの信号から所望帯域の信号を抽出する送信フィルタ、発振装置から供給される一定周波数の信号を利用して、フィルタリング後の信号を無線周波数にアップコンバートするミキサ、アップコンバート後の信号を増幅するプリアンプ（ＰＡ）等を含む。
【０１９３】
ＲＦ部２２１における受信回路２２３は、図２に示した無線部１０１のうち受信時のアナログ処理を行う部分と、復調部１０６のうちＡＤ変換より前の段階までの受信時のアナログ処理を行う部分とに相当する。受信回路２２３は、アンテナ１００で受信された信号を増幅するＬＮＡ（低雑音増幅器）、発振装置から供給される一定周波数の信号を利用して、増幅後の信号をベースバンドにダウンコンバートするミキサ、ダウンコーバート後の信号から、所望帯域の信号を抽出する受信フィルタ等を含む。より詳細には、受信回路２２３は、不図示の低雑音増幅器で低雑音増幅された受信信号を互いに９０°位相のずれた搬送波により直交復調して、受信信号と同位相のＩ（Ｉｎ−ｐｈａｓｅ）信号と、これより９０°位相が遅れたＱ（Ｑｕａｄ−ｐｈａｓｅ）信号とを生成する。これらＩ信号とＱ信号は、ゲインが調整された後に、受信回路１２３から出力される。
【０１９４】
制御回路２１２は、送信回路２２２の送信フィルタ及び受信回路２２３の受信フィルタの動作を、使用するチャネルの設定に応じて制御してもよい。送信回路２２２及び受信回路２２３を制御する別の制御部が存在し、制御回路２１２がその制御部に指示を出すことで、同様の制御を行ってもよい。
【０１９５】
ベースバンド部２１１におけるＡＤ変換回路２１７、２１８は、図２に示した復調部１０６のＡＤ変換を行う部分に相当する。ＡＤ変換回路２１７、２１８は、受信回路２２３からの入力信号をＡＤ変換する。より詳細には、ＡＤ変換回路２１７はＩ信号をデジタルＩ信号に変換し、ＡＤ変換回路２１８はＱ信号をデジタルＱ信号に変換する。なお、直交復調せずに一系統の信号だけを受信する場合もありうる。この場合、ＡＤ変換回路は１つだけでよい。また、複数のアンテナが設けられる場合には、アンテナの数に応じた数のＡＤ変換回路を設けてもよい。
【０１９６】
なお、アンテナ１００を、送信回路２２２及び受信回路２２３のいずれか一方に切り換えるスイッチがＲＦ部に配置されてもよい。スイッチを制御することで、送信時にはアンテナ１００を送信回路２２２に接続し、受信時には、アンテナ１００を受信回路２２３に接続してもよい。
【０１９７】
図１５では、ＤＡ変換回路２１５、２１６及びＡＤ変換回路２１７、２１８がベースバンド部２１１側に配置されていたが、ＲＦ部２２１側に配置されるように構成してもよい。
【０１９８】
図１５の構成例は一例であり、本実施形態はこれに限定されるものではない。
【０１９９】
通信を制御するＭＡＣ処理部１０３は、一例として、制御回路２１２に対応するとしたがこれに限ったものではない。ＭＡＣ処理部１０３は、制御回路２１２に加えて更に送信処理回路２１３と受信処理回路２１４を含んでもよい。更にＭＡＣ処理部１０３は、送信処理回路２１３と受信処理回路２１４に加えて、ＤＡ変換回路２１５、２１６及びＡＤ変換回路２１７、２１８を含んでもよい。更に、ＭＡＣ処理部１０３は、送信処理回路２１３、受信処理回路２１４、ＤＡ変換回路２１５、２１６及びＡＤ変換回路２１７、２１８に加えて、送信回路２２２及び受信回路２２３を含んでもよい。
【０２００】
または、ＩＣ２３２が、通信を制御するＭＡＣ処理部１０３と変復調部１０６に対応してもよい。このとき無線部１０１は、送信回路２２２及び受信回路２２３を含んでもよい。更に無線部１０１は、送信回路２２２及び受信回路２２３に加え、ＤＡ変換回路２１５、２１６及びＡＤ変換回路２１７、２１８を含んでもよい。
【０２０１】
（通信装置２のハードウェア構成例）
続いて、第１の実施形態に係る通信装置２のハードウェア構成例について、図１６を用いて説明する。図１６は、第１の実施形態に係る通信装置２のハードウェア構成例を示す
図である。
【０２０２】
図１６は、第１実施形態に係る通信装置２のハードウェア構成例を示したものである。
このハードウェア構成は一例であり、ハードウェア構成は種々の変更が可能である。図１６に示した通信装置の動作は、これまで図３で説明した通信装置と同様であるため、以下では、ハードウェア構成上の違いを中心に説明し、詳細な動作の説明は省略する。
【０２０３】
本通信装置は、ベースバンド部３１１、ＲＦ部３２１と、少なくとも１つのアンテナ１００とを備える。
【０２０４】
ベースバンド部３１１は、制御回路３１２と、送信処理回路３１３と、受信処理回路３１４と、ＤＡ変換回路３１５、３１６と、ＡＤ変換回路３１７、３１８とを含む。ＲＦ部３２１とベースバンド部３１１は、まとめて１チップのＩＣ（Ｉｎｔｅｇｒａｔｅｄ  Ｃｉｒｃｕｉｔ：集積回路）として構成されてもよいし、別々のチップで構成されてもよい。
【０２０５】
一例として、ベースバンド部３１１は、ベースバンドＬＳＩまたはベースバンドＩＣまたはこれらの両方である。または、ベースバンド部３１１が、図示の点線の枠で示すように、ＩＣ３３２とＩＣ３３１とを備えてもよい。このとき、ＩＣ３３２が制御回路３１２と送信処理回路３１３と受信処理回路３１４とを含み、ＩＣ３３１が、ＤＡ変換回路３１５、３１６とＡＤ変換回路３１７、３１８を含むように、各ＩＣに分かれてもよい。ＩＣ３３２は、１チップＩＣの形態、複数のチップＩＣからなる形態のいずれも含む。
【０２０６】
制御回路３１２は、図３のＭＡＣ処理部２０３の機能を実行する。上位処理部１０４の機能を、制御回路３１２に含めても構わない。
制御回路３１２またはＩＣ３３２は、一例として、通信を制御する通信処理装置、または通信を制御する制御部に対応する。このとき本実施形態に係る無線通信部は、送信回路３２２及び受信回路３２３を含んでもよい。無線通信部は、送信回路３２２及び受信回路３２３に加えて、ＤＡ変換回路３１５、３１６及びＡＤ変換回路３１７、３１８を含んでもよい。さらに、無線通信部は、送信回路３２２及び受信回路３２３、ＤＡ変換回路３１５、３１６及びＡＤ変換回路３１７、３１８に加えて、送信処理回路３１３及び受信処理回路３１４を含んでもよい。本実施形態に係る集積回路は、ベースバンド部３１１の全部または一部の処理、すなわち、制御回路３１２、送信処理回路３１３、受信処理回路３１４、ＤＡ変換回路３１５、３１６及びＡＤ変換回路３１７、３１８の全部または一部の処理を行うプロセッサを備えていてもよい。
【０２０７】
送信処理回路３１３は、図３に示した変調部１０５の物理層の処理を行う部分に対応する。すなわち、送信処理回路３１３は、プリアンブル及び物理ヘッダの追加や符号化、変調などの処理を行い、例えば２種類のデジタルベースバンド信号（以下、デジタルＩ信号とデジタルＱ信号）を生成する。ＭＩＭＯ送信の場合は各ストリームに応じてそれぞれ２種類のデジタルベースバンド信号を生成する。
【０２０８】
受信処理回路３１４は、図３に示した復調部１−６の物理層の受信処理を行う部分に対応する。すなわち、受信処理回路３１４は、復調や、復号化、プリアンブル及び物理ヘッダの解析などの処理を行う。
【０２０９】
なお、図３の送信部１０７の機能を送信処理回路３１３に含め、受信部１０８の機能を受信処理回路３１４に含め、判定部１１４の機能を、制御回路３１２に含める構成も可能である。
【０２１０】
ＤＡ変換回路３１５、３１６は、図３に示した変調部１０５のＤＡ変換を行う部分に相当する。ＤＡ変換回路３１５、３１６は、送信処理回路３１３から入力される信号をＤＡ変換する。より詳細には、ＤＡ変換回路３１５はデジタルＩ信号をアナログのＩ信号に変換し、ＤＡ変換回路３１６はデジタルＱ信号をアナログのＱ信号に変換する。なお、直交変調せずに一系統の信号のままで送信する場合もありうる。この場合、ＤＡ変換回路は１つだけでもよい。また、一系統または複数系統の送信信号をアンテナの数だけ振り分けて送信する場合には、アンテナの数に応じた数のＤＡ変換回路を設けてもよい。
【０２１１】
ＲＦ部３２１は、一例としてＲＦアナログＩＣあるいは高周波ＩＣである。ＲＦ部３２１における送信回路３２２は、図３に示した変調部１０５のうちＤＡ変換より後の段階の送信時のアナログ処理を行う部分と無線部１０１の送信時のアナログ処理を行う部分とに相当する。送信回路３２２は、ＤＡ変換回路３１５、３１６によりＤＡ変換されたフレームの信号から所望帯域の信号を抽出する送信フィルタ、発振装置から供給される一定周波数の信号を利用して、フィルタリング後の信号を無線周波数にアップコンバートするミキサ、アップコンバート後の信号を増幅するプリアンプ（ＰＡ）等を含む。
【０２１２】
ＲＦ部３２１における受信回路３２３は、図３に示した無線部１０１の受信時のアナログ処理を行う部分と復調部１０６のＡＤ変換より前の段階までの受信時のアナログ処理とを行う部分に相当する。受信回路３２３は、アンテナで受信された信号を増幅するＬＮＡ（低雑音増幅器）、発振装置から供給される一定周波数の信号を利用して、増幅後の信号をベースバンドにダウンコンバートするミキサ、ダウンコーバート後の信号から所望帯域の信号を抽出する受信フィルタ等を含む。より詳細には、受信回路３２３は、不図示の低雑音増幅器で低雑音増幅された受信信号を互いに９０°位相のずれた搬送波により直交復調して、受信信号と同位相のＩ（Ｉｎ−ｐｈａｓｅ）信号と、これより９０°位相が遅れたＱ（Ｑｕａｄ−ｐｈａｓｅ）信号とを生成する。これらＩ信号とＱ信号は、ゲインが調整された後に、受信回路３２３から出力される。
【０２１３】
制御回路３１２は、送信回路３２２の送信フィルタ及び受信回路３２３の受信フィルタの動作を、使用するチャネルの設定に応じて制御してもよい。送信回路３２２及び受信回路３２３を制御する別の制御部が存在し、制御回路３１２がその制御部に指示を出すことで、同様の制御を行ってもよい。
【０２１４】
ベースバンド部３１１におけるＡＤ変換回路３１７、３１８は、図３に示した復調部１０６のＡＤ変換を行う部分に相当する。ＡＤ変換回路３１７、３１８は、受信回路３２３からの入力信号をＡＤ変換する。より詳細には、ＡＤ変換回路３１７はＩ信号をデジタルＩ信号に変換し、ＡＤ変換回路３１８はＱ信号をデジタルＱ信号に変換する。なお、直交復調せずに一系統の信号だけを受信する場合もありうる。この場合、ＡＤ変換回路は１つだけでよい。また、複数のアンテナが設けられる場合には、アンテナの数に応じた数のＡＤ変換回路を設けてもよい。
【０２１５】
なお、アンテナ１００を、送信回路３２２及び受信回路３２３のいずれか一方に切り換えるスイッチがＲＦ部に配置されてもよい。スイッチを制御することで、送信時にはアンテナ１００を送信回路３２２に接続し、受信時には、アンテナ１００を受信回路３２３に接続してもよい。
【０２１６】
図１６では、ＤＡ変換回路３１５、３１６及びＡＤ変換回路３１７、３１８がベースバンド部３１１側に配置されていたが、ＲＦ部３２１側に配置されるように構成してもよい。
【０２１７】
図１６の構成例は一例であり、本実施形態はこれに限定されるものではない。
【０２１８】
通信を制御するＭＡＣ処理部２０３は、一例として、制御回路３１２に対応するとしたがこれに限ったものではない。ＭＡＣ処理部２０３は、制御回路３１２に加えて更に送信処理回路３１３と受信処理回路３１４を含んでもよい。更にＭＡＣ処理部２０３は、送信処理回路３１３と受信処理回路３１４に加えて、ＤＡ３１５、３１６及びＤＡ３１７、３１８を含んでもよい。更に、ＭＡＣ処理部２０３は、送信処理回路３１３、受信処理回路３１４、ＤＡ３１５、３１６及びＤＡ３１７、３１８に加えて、送信回路３２２及び受信回路３２３を含んでもよい。
【０２１９】
または、ＩＣ３３２が、通信を制御するＭＡＣ処理部２０３と変復調部１０６に対応してもよい。このとき無線部１０１は、送信回路２２２及び受信回路２２３を含んでもよい。更に無線部１０１は、送信回路２２２及び受信回路２２３に加え、ＤＡ変換回路２１５、２１６及びＡＤ変換回路２１７、２１８を含んでもよい。
【０２２０】
（変形例）
ハブに複数のセンサが搭載されている場合、ハブから送る生体情報の種類（例えば、脈波）、その特徴量の種類（例えば、ピーク間隔）が予め決まっていてもよい。
【０２２１】
一方、ハブは、生体情報の種類（例えば、脈波）、その特徴量の種類（例えば、ピーク間隔）を選択して送ってもよい。その場合、ビーコン信号の中にその特徴量が得られたセンサの種類（脈波センサ）あるいは生体情報の種類（例えば、脈波）を示す情報、その特徴量の種類（例えば、ピーク間隔）を示す情報も一緒にビーコン信号に含める。 
ビーコン信号生成部１０９は、第１のセンシング情報に加えて、第１のセンシング情報が得られたセンサの種類を含むビーコン信号を生成してもよい。これにより、送信信号には、第１のセンシング情報に加えて更に第１のセンシング情報が得られたセンサの種類が含まれる。その場合、判定部１１４は、受信した送信信号に含まれる第１のセンシング情報と、受信した送信信号に含まれるセンサの種類と同じ種類または相関関係を有する種類のセンサで得られた第２のセンシング情報とを比較してもよい。
【０２２２】
例えば、ビーコン信号生成部１０９は、複数のセンシング情報から一つまたは複数のセンシング情報を第１のセンシング情報として選択し、選択した第１のセンシング情報と選択された第１のセンシング情報が得られたセンサの種類とを含むビーコン信号を生成してもよい。
【０２２３】
これにより、送信信号であるビーコン信号には、物体に設置された複数のセンサで計測されて得られた複数のセンシング情報から選択された第１のセンシング情報と選択された第１のセンシング情報が得られたセンサの種類とが含まれる。その場合、上記と同様に、判定部１１４は、受信した送信信号に含まれる第１のセンシング情報と、この第１のセンシング情報が得られたセンサの種類と同じ種類または相関関係を有する種類のセンサで得られた第２のセンシング情報とを比較してもよい。
【０２２４】
同様に、例えば、ビーコン信号生成部１０９は、複数の第１のセンシング情報と複数の第１のセンシング情報が得られたセンサの種類とを含むビーコン信号を生成してもよい。
これにより、送信信号には、物体に設置された複数のセンサで計測されて得られた複数の第１のセンシング情報と複数の第１のセンシング情報が得られたセンサの種類とが含まれる。
【０２２５】
その場合、判定部１１４は、受信した送信信号に含まれる複数の第１のセンシング情報それぞれについて、第１のセンシング情報と、当該第１のセンシング情報が得られたセンサの種類と同じ種類または相関関係を有する種類のセンサで得られた第２のセンシング情報とを比較する。
【０２２６】
例えば、第１のセンシング情報が、第１のセンサの計測値から抽出された第１の特徴量であり、送信信号が、第１の特徴量に加えて更に第１の特徴量の種類を示す特徴量種類情報を含んでいる場合を想定する。その場合、例えば、判定部１１４は、受信した送信信号に含まれる特徴量種類情報が示す第１の特徴量の種類と同じ種類または相関関係を有する種類の特徴量を第２のセンサの計測値から第２の特徴量として抽出してもよい。そして、判定部１１４は、第１の特徴量と第２の特徴量を比較してもよい。
【０２２７】
但し、送る特徴量の種類が予め決まっていれば、特徴量の種類を送らなくてもよい。
【０２２８】
また、送る生体情報の種類が予め決まっていれば、生体情報の種類を送らなくてもよい。
【０２２９】
他の例として、ハブは、複数の特徴量を送ってもよい。その場合、ビーコンの中にそれぞれの特徴量が得られた生体情報の種類（例えば、脈波）を示す情報、その特徴量の種類（例えば、ピーク間隔）を示す情報も一緒にビーコンに含めてもよい。
【０２３０】
この場合、ノードは、受信した生体情報の種類と特徴量の種類の組に該当する特徴量を少なくとも一つ抽出し、抽出した特徴量と、対応する、受信した特徴量とを比較してもよい。
【０２３１】
すなわち、一つの特徴量同士を比べて判定してもよいし、複数の特徴量同士を比べて判定してもよい。
【０２３２】
ノードが設置される部位（例えば、手の先、足の先）によって、計測できる生体情報の種類、及び/または特徴量の種類も変わってくるので、ノードは、自身が設置された部位によって、センシング情報を得るために用いるセンサを変更してもよい。 これにより、ノードは、自身が設置された部位によって、比較する生体情報の種類を変更することができる。例えば、手の先のノードは、脈波を比較し、胸の近傍のノードは、心拍を比較してもよい。
【０２３３】
また、ノードは、自身が設置された部位によって、特徴量の種類を変更してもよい。 例えば、手の先のノードは、ピーク間隔を比較し、足の先のノードは、立ち上がり角度を比較してもよい。
【０２３４】
また、ノードが設置された部位を、ユーザが外部から指定してもよい。 
例えば、ノードは、自装置が設置された部位を指定する入力部（例えば、部位毎に設けられたボタン）を備えてもよい。例えば、足にノードを設置する場合、ユーザが足に対応するボタンを押すことで、ノードは自装置が足に設置されたことを特定してもよい。
【０２３５】
このように、ノードである通信装置２は、通信装置２が設置された部位を、ユーザから受け付ける入力部を更に備えてもよい。その場合、判定部１１４は、この入力部が受け付けた部位を用いて、第１のセンシング情報と比較する第２のセンシング情報の種類を変更してもよい。ここで、第２のセンシング情報の種類の変更は、例えば、第２のセンシング情報を得るために用いるセンサの変更である。あるいは、第２のセンシング情報の種類の変更は、例えば、第２のセンサの計測値から抽出された第２の特徴量の種類の変更である。
【０２３６】
また、ノードが設置される部位に応じて、搭載されるセンサが設定されてもよい。例えば、足用のノード、手用のノードというものがあってもよく、その場合、例えば、足用のノードには、足で計測できるセンサしか搭載されておらず、手用のノードには、手で計測できるセンサしか搭載されていなくてもよい。
【０２３７】
なお、各実施形態の通信装置（１、１ａ、１ｂ、１ｃ、１ｄ）または通信装置（２、２ｃ、２ｄ）の各処理を実行するためのプログラムをコンピュータ読み取り可能な記録媒体に記録して、当該記録媒体に記録されたプログラムをコンピュータシステムに読み込ませ、プロセッサが実行することにより、各実施形態の通信装置１または通信装置２に係る上述した種々の処理を行ってもよい。
【０２３８】
（第６の実施形態）
図１７Ａ及び図１７Ｂは、それぞれ第６の実施形態に係る無線通信端末の斜視図である。図１７Ａの無線通信端末はノートＰＣ７０１であり、図１７Ｂの無線通信端末は移動体端末７２１である。それぞれ、端末（基地局及び子局のいずれとして動作してもよい）の一形態に対応する。ノートＰＣ７０１及び移動体端末７２１は、それぞれ無線通信装置７０５、７１５を搭載している。無線通信装置７０５、７１５として、これまで説明してきた無線通信装置を用いることができる。無線通信装置を搭載する無線通信端末は、ノートＰＣや移動体端末に限定されない。例えば、ＴＶ、デジタルカメラ、ウェアラブルデバイス、タブレット、スマートフォン、ゲーム装置、ネットワークストレージ装置、モニタ、デジタルオーディオプレーヤ、Ｗｅｂカメラ、ビデオカメラ、プロジェクト、ナビゲーションシステム、外部アダプタ、内部アダプタ、セットトップボックス、ゲートウェイ、プリンタサーバ、モバイルアクセスポイント、ルータ、エンタープライズ／サービスプロバイダアクセスポイント、ポータブル装置、ハンドヘルド装置等にも搭載可能である。
【０２３９】
また、無線通信装置は、メモリーカードにも搭載可能である。当該無線通信装置をメモリーカードに搭載した例を図１８に示す。メモリーカード７３１は、無線通信装置７５５と、メモリーカード本体７３２とを含む。メモリーカード７３１は、外部の装置との無線通信のために無線通信装置７３５を利用する。なお、図１８では、メモリーカード７３１内の他の要素（例えばメモリ等）の記載は省略している。
【０２４０】
（第７の実施形態）  
第７の実施形態では、第１〜第６の実施形態のいずれかに係る無線通信装置の構成に加えて、バス、プロセッサ部、及び外部インターフェース部を備える。プロセッサ部及び外部インターフェース部は、バスを介してバッファと接続される。プロセッサ部ではファームウェアが動作する。このように、ファームウェアを無線通信装置に含める構成とすることにより、ファームエアの書き換えによって無線通信装置の機能の変更を容易に行うことが可能となる。ファームウェアが動作するプロセッサ部は、本実施形態に係る通信制御装置または制御部の処理を行うプロセッサであってもよいし、当該処理の機能拡張または変更に係る処理を行う別のプロセッサであってもよい。ファームウェアが動作するプロセッサ部を、本実施形態に係るハブあるいは無線端末が備えてもよい。または当該プロセッサ部を、ハブに搭載される無線通信装置内の集積回路、または無線端末に搭載される無線通信装置内の集積回路が備えてもよい。
【０２４１】
（第８の実施形態）  
第８の実施形態では、第１〜第６の実施形態のいずれかに係る無線通信装置の構成に加えて、クロック生成部を備える。クロック生成部は、クロックを生成して出力端子より無線通信装置の外部にクロックを出力する。このように、無線通信装置内部で生成されたクロックを外部に出力し、外部に出力されたクロックによってホスト側を動作させることにより、ホスト側と無線通信装置側とを同期させて動作させることが可能となる。
【０２４２】
（第９の実施形態）  
第９の実施形態では、第１〜第６の実施形態のいずれかに係る無線通信装置の構成に加えて、電源部、電源制御部、及び無線電力給電部を含む。電源制御部は、電源部と無線電力給電部とに接続され、無線通信装置に供給する電源を選択する制御を行う。このように、電源を無線通信装置に備える構成とすることにより、電源を制御した低消費電力化動作が可能となる。
【０２４３】
（第１０の実施形態）  
第１０の実施形態では、第９の実施形態に係る無線通信装置の構成に加えて、ＳＩＭカードを含む。ＳＩＭカードは、例えば、無線通信装置におけるＭＡＣ処理部、または、制御部等と接続される。このように、ＳＩＭカードを無線通信装置に備える構成とすることにより、容易に認証処理を行うことが可能となる。
【０２４４】
（第１１の実施形態）  
第１１の実施形態では、第７の実施形態に係る無線通信装置の構成に加えて、動画像圧縮／伸長部を含む。動画像圧縮／伸長部は、バスと接続される。このように、動画像圧縮／伸長部を無線通信装置に備える構成とすることにより、圧縮した動画像の伝送と受信した圧縮動画像の伸長とを容易に行うことが可能となる。
【０２４５】
（第１２の実施形態）  
第１２の実施形態では、第１〜第１１の実施形態に係る無線通信装置の構成に加えて、ＬＥＤ部を含む。ＬＥＤ部は、例えば、無線通信装置におけるＭＡＣ処理部、送信処理回路、受信処理回路、または制御回路等と接続される。このように、ＬＥＤ部を無線通信装置に備える構成とすることにより、無線通信装置の動作状態を、ユーザに容易に通知することが可能となる。
【０２４６】
（第１３の実施形態）  
第１３の実施形態では、第１〜第６のいずれかに係る無線通信装置の構成に加えて、バイブレータ部を含む。バイブレータ部は、例えば、無線通信装置におけるＭＡＣ処理部、送信処理回路、受信処理回路、または制御回路等と接続される。このように、バイブレータ部を無線通信装置に備える構成とすることにより、無線通信装置の動作状態を、ユーザに容易に通知することが可能となる。
【０２４７】
（第１４の実施形態）
第１４の実施形態では、第１〜第６のいずれかの実施形態に係る無線通信装置の構成に加えて、ディスプレイを含む。ディスプレイは、図示しないバスを介して、無線通信装置のＭＡＣ処理部に接続されてもよい。このようにディスプレイを備える構成とし、無線通信装置の動作状態をディスプレイに表示することで、無線通信装置の動作状態をユーザに容易に通知することが可能となる。
【０２４８】
（第１５の実施形態）  
図１９は、第１５の実施形態に係る無線通信システムの全体構成を示す。この無線通信システムは、ボディエリアネットワークの例である。無線通信システムは、ノード４０１、４０２を含む複数のノードと、ハブ４５１とを含む。各ノード及びハブは人体に装着され、各ノードはハブ４５１と無線通信を行う。人体に装着とは、人体に直接接触する形態、服の上から装着する形態、首からかけた紐に設ける形態、ポケットの収容する形態など、人体に近接した位置に配置するあらゆる場合を含んでよい。ハブ４５１は、一例として、スマートフォンや携帯電話、タブレット、ノート型ＰＣなどの端末である。
【０２４９】
ノード４０１は、生体センサ４１１と無線通信装置４１２を備える。生体センサ４１１として、例えば、体温、血圧、脈拍、心電、心拍、血中酸素濃度、尿糖、または血糖等をセンシングするセンサを用いることができる。ただし、これら以外の生体データをセンシングするセンサを用いてもかまわない。無線通信装置４１２は、これまで述べた実施形態のいずれかの無線通信装置である。無線通信装置４１２は、ハブ４５１の無線通信装置４５３と無線通信を行う。無線通信装置４１２は、生体センサ４１１でセンシングされた生体データ（センシング情報）を、ハブ４５１の無線通信装置４５３に無線送信する。ノード４０１はタグ状の装置として構成されてもよい。
【０２５０】
ノード４０２は、生体センサ４２１と無線通信装置４２２を備える。生体センサ４２１と無線通信装置４２２は、ノード４０１の生体センサ４１１と無線通信装置４１２と同様であるため、説明を省略する。
【０２５１】
ハブ４５１は、通信装置４５２と無線通信装置４５３とを備える。無線通信装置４５３は、各ノードの無線通信装置と無線通信を行う。無線通信装置４５３は、これまで述べた実施形態のいずれかの無線通信装置でもよいし、ノードの無線通信装置と通信可能であれば、これまで述べた実施形態とは別の無線通信装置でもよい。通信装置４５２は、有線または無線によりネットワーク４７１と接続される。ネットワーク４７１は、インターネットや無線ＬＡＮ等のネットワークでもよいし、有線ネットワークと無線ネットワークとのハイブリッドネットワークでもよい。通信装置４５２は、無線通信装置４５３により各ノードから収集されたデータを、ネットワーク４７１上の装置に送信する。無線通信装置４５３から通信装置へのデータの受け渡しは、ＣＰＵやメモリ、補助記憶装置等を介して、行われてもよい。ネットワーク４７１上の装置は、具体的に、データを保存するサーバ装置でもよいし、データ解析を行うサーバ装置でもよいし、その他のサーバ装置でもよい。ハブ４５１も、ノード４０１、４０２と同様に生体センサを搭載してもよい。この場合、ハブ４５１は、当該生体センサで取得したデータも、通信装置４５２を介してネットワーク４７１上の装置に送信する。ハブ４５１にＳＤカード等のメモリーカードを挿入するインターフェースを搭載し、生体センサで取得したデータまたは各ノードから取得したデータを、メモリーカードに保存してもよい。また、ハブ４５１に、ユーザが各種指示を入力するユーザ入力部、及びデータ等を画像表示する表示部を搭載してもよい。
【０２５２】
図２０は、図１９に示したノード４０１またはノード４０２のハードウェア構成例を示したブロック図である。ＣＰＵ５１２、メモリ５１３、補助記憶装置５１６、無線通信装置５１４、及び生体センサ５１５がバス５１１に接続されている。ここでは１つのバスに各部５１２〜５１６が接続されているが、チップセット等を介して複数のバスを設け、各部５１２〜５１６が複数のバスに分かれて接続されてもよい。無線通信装置５１４は、図１９の無線通信装置４１２、４２２に対応し、生体センサ５１５は、図１９の生体センサ４１１、４２１に対応する。ＣＰＵ５１２は、無線通信装置５１４及び生体センサ５１４を制御する。補助記憶装置５１６は、ＳＳＤ、ハードディスク等のデータを永続的に記憶する装置である。補助記憶装置５１６は、ＣＰＵ５１２が実行するプログラムを格納している。また、補助記憶装置５１６は、生体センサ５１５により取得されたデータを格納してもよい。ＣＰＵ５１２は、補助記憶装置５１６からプログラムを読み出して、メモリ５１３に展開して実行する。メモリ５１３は、ＤＲＡＭ等の揮発性メモリでもよいし、ＭＲＡＭ等の不揮発メモリでもよい。ＣＰＵ５１２は、生体センサ５１５を駆動し、生体センサ５１５により取得されたデータをメモリ５１３または補助記憶装置５１６に格納し、当該データを、無線通信装置５１４を介してハブに送信する。ＣＰＵ５１２は、ＭＡＣ層より上位の通信プロトコルやアプリケーション層の処理を実行してもよい。
【０２５３】
図２１は、図１９に示したハブ４５１のハードウェア構成例を示したブロック図である。ＣＰＵ６１２、メモリ６１３、補助記憶装置６１６、通信装置６１４、無線通信装置６１５、入力部６１７及び表示部６１８が、バス６１１に接続されている。ここでは１つのバスに各部６１２〜６１７が接続されているが、チップセット等を介して複数のバスを設け、各部６１２〜６１７が複数のバスに分かれて接続されてもよい。生体センサまたはメモリカードインタフェースが、さらにバス６１１に接続されてもよい。入力部６１７は、各種指示の入力をユーザから受けて、入力された指示の信号をＣＰＵ６１２に出力する。表示部６１８は、ＣＰＵ６１２により指示されたデータ等を画像表示する。通信装置６１４及び無線通信装置６１５は、図１９のハブが備える通信装置４５２及び無線通信装置４５３にそれぞれ対応する。ＣＰＵ６１２は、無線通信装置６１５及び通信装置６１４を制御する。補助記憶装置６１６は、ＳＳＤ、ハードディスク等のデータを永続的に記憶する装置である。補助記憶装置６１６は、ＣＰＵ６１２が実行するプログラムを格納しており、また、各ノードから受信したデータを格納してもよい。ＣＰＵ６１２は、補助記憶装置６１６からプログラムを読み出して、メモリ６１３に展開して実行する。メモリ６１３は、ＤＲＡＭ等の揮発性メモリでもよいし、ＭＲＡＭ等の不揮発メモリでもよい。ＣＰＵ６１２は、無線通信装置６１５で各ノードから受信したデータをメモリ６１３または補助記憶装置６１６に格納し、当該データを、通信装置６１４を介してネットワーク４７１に送信する。ＣＰＵ６１２は、ＭＡＣ層より上位の通信プロトコルやアプリケーション層の処理を実行してもよい。
【０２５４】
本実施形態で用いられる用語は、広く解釈されるべきである。例えば用語“プロセッサ”は、汎用目的プロセッサ、中央処理装置（ＣＰＵ）、マイクロプロセッサ、デジタル信号プロセッサ（ＤＳＰ）、コントローラ、マイクロコントローラ、状態マシンなどを包含してもよい。状況によって、“プロセッサ”は、特定用途向け集積回路、フィールドプログラマブルゲートアレイ（ＦＰＧＡ）、プログラム可能論理回路（ＰＬＤ）などを指してもよい。“プロセッサ”は、複数のマイクロプロセッサのような処理装置の組み合わせ、ＤＳＰ及びマイクロプロセッサの組み合わせ、ＤＳＰコアと協働する１つ以上のマイクロプロセッサを指してもよい。
【０２５５】
別の例として、用語“メモリ”は、電子情報を格納可能な任意の電子部品を包含してもよい。“メモリ”は、ランダムアクセスメモリ（ＲＡＭ）、読み出し専用メモリ（ＲＯＭ）、プログラム可能読み出し専用メモリ（ＰＲＯＭ）、消去可能プログラム可能読み出し専用メモリ（ＥＰＲＯＭ）、電気的消去可能ＰＲＯＭ（ＥＥＰＲＯＭ）、不揮発性ランダムアクセスメモリ（ＮＶＲＡＭ）、フラッシュメモリ、磁気または光学データストレージを指してもよく、これらはプロセッサによって読み出し可能である。プロセッサがメモリに対して情報を読み出しまたは書き込みまたはこれらの両方を行うならば、メモリはプロセッサと電気的に通信すると言うことができる。メモリは、プロセッサに統合されてもよく、この場合も、メモリは、プロセッサと電気的に通信していると言うことができる。
【０２５６】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０２５７】
１、１ａ、１ｂ、１ｃ、１ｄ、２、２ｃ、２ｄ、２−１、…、２−７、２ｃ−１、…、２ｃ−７、２ｄ−１、…、２ｄ−７、２０、３０、４０  通信装置
１１、１２、１３、１４  人
１００  アンテナ
１０１  無線部
１０２  変復調部
１０３、１０３ｄ、２０３、２０３ｃ、２０３ｄ  ＭＡＣ処理部
１０４  上位層処理部
１０５  変調部
１０６  復調部
１０７  送信部
１０８  受信部
１０９、１０９ｃ  ビーコン信号生成部
１１０、…、１１２  センサ
１１３  入力部
１１４、１１４ｃ、１１４ｄ  判定部
１１５  プローブ要求信号生成部
３１１、２１１  ベースバンド部
３２１、２２１  ＲＦ部
３２２、２２２  送信回路
３２３、２２３  受信回路
３１２、２１２  制御回路
３１３、２１３  送信処理回路
３１４、２１４  受信処理回路
３１５、３１６、２１５、２１６  ＤＡ変換回路
３１７、３１８、２１７、２１８  ＡＤ変換回路
７０１：ノートＰＣ
７２１：移動体端末
７０５、３１５：無線通信装置
７３１：メモリーカード
７３２：メモリーカード本体
７５５：無線通信装置
４０１、４０２：ノード
４５１：ハブ
４７１：ネットワーク
５１１、６１１：バス
５１２、６１２：ＣＰＵ
５１３、６１３：メモリ
５１４、６１５：無線通信装置
５１５：生体センサー
５１６、６１６：補助記憶装置
６１４：通信装置
【図１】
2015190535.tif 000003
【図２】
2015190535.tif 000004
【図３】
2015190535.tif 000005
【図４】
2015190535.tif 000006
【図５】
2015190535.tif 000007
【図６】
2015190535.tif 000008
【図７】
2015190535.tif 000009
【図８】
2015190535.tif 000010
【図９】
2015190535.tif 000011
【図１０】
2015190535.tif 000012
【図１１】
2015190535.tif 000013
【図１２】
2015190535.tif 000014
【図１３】
2015190535.tif 000015
【図１４】
2015190535.tif 000016
【図１５】
2015190535.tif 000017
【図１６】
2015190535.tif 000018
【図１７Ａ】
2015190535.tif 000019
【図１７Ｂ】
2015190535.tif 000020
【図１８】
2015190535.tif 000021
【図１９】
2015190535.tif 000022
【図２０】
2015190535.tif 000023
【図２１】
2015190535.tif 000024
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
第１のセンサで取得された第１信号を受信する受信部と、
前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定する処理部と、
前記判定の結果、同一の対象物体から取得されたと判定された場合、自装置と前記第１信号を送信した他の通信装置の一方が形成する無線ネットワークへ他方を接続させるための無線接続信号を送信する送信部と、
を備える無線通信装置。
【請求項２】
前記第１のセンシング情報は、前記第１のセンサの計測値から抽出された第１の特徴量であり、
前記処理部は、前記第２のセンサの計測値から第２の特徴量を前記第２のセンシング情報として抽出し、前記第１の特徴量と前記第２の特徴量とを比較する
請求項１に記載の無線通信装置。
【請求項３】
前記第１のセンシング情報と前記第２のセンシング情報は同じ種類のセンサで計測して得られたものであり、
前記処理部は、前記第１のセンシング情報と前記第２のセンシング情報とが一致する場合、前記第１のセンシング情報と前記第２のセンシング情報とが同一の対象物体から取得されたと判定する
請求項１または２に記載の無線通信装置。
【請求項４】
前記受信部は、複数の他の通信装置から送信された前記第１信号を受信し、
前記処理部は、規定の期間に受信した複数の前記第１信号の中に、前記第１のセンシング情報と前記第２のセンシング情報とが一致する信号が存在しない場合、前記複数の第１信号の中で、前記第２のセンシング情報と最も近いセンシング情報が含まれる前記第１信号を送信した通信装置を選択し、
前記送信部は、選択した通信装置へ前記無線接続信号を送信する
請求項３に記載の無線通信装置。
【請求項５】
前記第１のセンサと前記第２のセンサとは互いに計測値が相関関係を有する異なる種類のセンサであり、
前記処理部は、前記第１のセンサの計測値の変動パターンと前記第２のセンサの計測値の変動パターンを比較する
請求項２に記載の無線通信装置。
【請求項６】
前記第１のセンシング情報は、前記第１のセンサの計測値のハッシュ値、または前記第１のセンサの計測値から抽出された第１の特徴量のハッシュ値であり、
前記処理部は、前記第２のセンサの計測値のハッシュ値、または前記第２のセンサの計測値から抽出された第２の特徴量のハッシュ値を前記第２のセンシング情報に決定する
請求項１から５のいずれか一項に記載の無線通信装置。
【請求項７】
前記他の通信装置が受けたユーザからのトリガ入力を基に、一定時間だけ、前記第１信号に前記第１のセンシング情報が含まれる
請求項１から６のいずれか一項に記載の無線通信装置。
【請求項８】
前記処理部は、前記第２のセンサを用いて前記第２のセンシング情報を取得し、
前記他の通信装置は、前記第１のセンサを備える
請求項１から７のいずれか一項に記載の無線通信装置。
【請求項９】
前記処理部は、前記第２のセンサを用いて前記第２のセンシング情報を取得し、
前記無線ネットワークに既に接続された第３の通信装置が前記第１のセンサを備えており、
前記受信部が受信した第１のセンシング情報は、前記他の通信装置が前記第３の通信装置から通信により取得した情報である
請求項１から７のいずれか一項に記載の無線通信装置。
【請求項１０】
前記他の通信装置は、前記無線ネットワークを形成しており、
前記無線接続信号は、前記第１の通信装置への接続を要求する接続要求信号である
請求項１から９のいずれか一項に記載の無線通信装置。
【請求項１１】
自装置が、前記無線ネットワークを形成しており、
前記第１信号は、プローブ要求信号であり、
前記無線接続信号は、前記プローブ要求信号に応答するプローブ応答信号である
請求項１から９のいずれか一項に記載の無線通信装置。
【請求項１２】
前記第１信号は、前記第１のセンシング情報に加えて更に前記第１のセンシング情報が得られたセンサの種類を含み、
前記処理部は、前記第１信号に含まれる第１のセンシング情報と、前記第１信号に含まれるセンサの種類と同じ種類または相関関係を有する種類のセンサで得られた前記第２のセンシング情報とを比較する
請求項１から１１のいずれか一項に記載の無線通信装置。
【請求項１３】
前記処理部は、複数種類の前記第２のセンサを用いて前記第２のセンシング情報を取得し、
前記他の通信装置は、複数種類のセンサを前記第１のセンサとして備えており、
前記第１信号は、前記複数のセンサで計測されて得られた複数のセンシング情報から選択された前記第１のセンシング情報と前記選択された第１のセンシング情報が得られたセンサの種類とを含む
請求項１２に記載の無線通信装置。
【請求項１４】
前記処理部は、複数種類の前記第２のセンサを用いて前記第２のセンシング情報を取得し、
前記他の通信装置は、複数種類のセンサを前記第１のセンサとして備えており、
前記第１信号は、複数のセンサで計測されて得られた複数の第１のセンシング情報と前記複数の第１のセンシング情報が得られたセンサの種類とを含み、
前記処理部は、前記第１信号に含まれる複数の第１のセンシング情報それぞれについて、第１のセンシング情報と、当該第１のセンシング情報が得られたセンサの種類と同じ種類または相関関係を有する種類のセンサで得られた前記第２のセンシング情報とを比較する
請求項１２に記載の無線通信装置。
【請求項１５】
前記第１のセンシング情報は、前記第１のセンサの計測値から抽出された第１の特徴量であり、
前記第１信号は、前記第１の特徴量に加えて更に前記第１の特徴量の種類を示す特徴量種類情報を含み、
前記処理部は、前記第１信号に含まれる特徴量種類情報が示す前記第１の特徴量の種類と同じ種類または相関関係を有する種類の特徴量を前記第２のセンサの計測値から第２の特徴量として抽出し、前記第１の特徴量と前記第２の特徴量を比較する
請求項１から１４のいずれか一項に記載の無線通信装置。
【請求項１６】
前記処理部は、自装置が設置された部位の情報を、ユーザから入力部を介して受け取り、
前記処理部は、前記部位の情報を用いて、前記第１のセンシング情報と比較する第２のセンシング情報の種類を変更する
請求項１から１５のいずれか一項に記載の無線通信装置。
【請求項１７】
前記処理部は、複数種類の前記第２のセンサを用いて前記第２のセンシング情報を取得し、
前記第２のセンシング情報の種類の変更は、前記第２のセンシング情報を得るために用いるセンサの変更である
請求項１６に記載の無線通信装置。
【請求項１８】
前記第２のセンシング情報は、前記第２のセンサの計測値から抽出された第２の特徴量であり、
前記第２のセンシング情報の種類の変更は、前記第２の特徴量の種類の変更である
請求項１６または１７に記載の無線通信装置。
【請求項１９】
前記物体は、人であり、
前記第１のセンシング情報及び前記第２のセンシング情報は、同一の人から得られた生体情報である
請求項１から１８のいずれか一項に記載の無線通信装置。
【請求項２０】
少なくとも１つのアンテナと、
請求項１から１９のいずれか一項に記載の無線通信装置と、
を備えた無線通信端末。
【請求項２１】
請求項１から１９のいずれか一項に記載の無線通信装置と、
前記第２のセンサと、
を備えた無線通信端末。
【請求項２２】
少なくとも１つのアンテナと、
前記アンテナに接続され、フレームを送受信する無線通信部と、
第１のセンサで取得された第１信号を、前記無線通信部を介して受信し、前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定し、前記判定の結果、同一の対象物体から取得されたと判定された場合、自端末と前記第１信号を送信した他の無線通信端末の一方が形成する無線ネットワークへ他方を接続させるため接続信号を、前記無線通信部を介して送信する、制御部と
を備えた無線通信端末。
【請求項２３】
前記第２のセンサを更に備える請求項２２に記載の無線通信端末。
【請求項２４】
無線通信端末による無線通信方法であって、
第１のセンサで取得された第１信号を受信するステップと、
前記第１信号に含まれる第１のセンシング情報と、第２のセンサで取得した第２のセンシング情報とを比較することにより、前記第１のセンシング情報と前記第２のセンシング情報とが同一の対象物体から取得されたか否かを判定するステップと、
前記判定の結果、同一の対象物体から取得されたと判定された場合、自端末と他の無線通信端末の一方が形成する無線ネットワークへ他方を接続させるための無線接続信号を送信するステップと、
を有する無線通信方法。
【国際調査報告】
2015190535.tif 000025
2015190535.tif 000026
2015190535.tif 000027
2015190535.tif 000028